(57)【要約】【課題】  動画を撮影している途中に静止画撮影を行ったあと、動画撮影を再開する際に静止画撮影時に変えられた動画像の画角に復帰させ得る撮影方法、撮像装置、及びプログラムの提供【解決手段】  動画撮影中にキー情報を取得して操作内容を判定し（Ｓ１、Ｓ２）ズームキー操作の場合はズームレンズの位置制御を行い（Ｓ３）、モード切り替えの場合は動画撮影を停止してズーム位置を記憶してから更にキー情報を調べ、シャッターキーが半押しされた場合は静止画撮影を行う（Ｓ４、Ｓ１０）。静止画撮影中にモード切替操作が行われた場合は記憶したズーム位置にズームレンズを復帰させることにより画角を再現して動画撮影を再開する（Ｓ４、Ｓ５、Ｓ６、Ｓ８、Ｓ９）。【選択図】  図６
2006101473.tif 000002
【特許請求の範囲】
【請求項１】
動画を撮影して記録メモリに記録する動画撮影モードと、静止画を撮影して記録メモリに記録する静止画撮影モードを有し、被写体像を取り込んでその画像データを生成する撮像部と、生成された画像データを表示する表示部と、画像データを記録する記録メモリとを備えた撮像装置における撮影方法であって、
動画撮影中に静止画撮影に撮影モードが切り替えられると動画撮影を停止すると共に該動画撮影停止直前の画角情報を保持し、
前記モード切り替え後の静止画撮影から動画撮影に撮影モードが切り替えられると前記保持した画角情報に基いて前記動画撮影停止直前の画角を再現してから動画撮影を再開すること、
を特徴とする動画撮影中の静止画撮影方法。
【請求項２】
動画を撮影して記録メモリに記録する動画撮影モードと、静止画を撮影して記録メモリに記録する静止画撮影モードを有し、被写体像を取り込んでその画像データを生成する撮像部と、生成された画像データを表示する表示部と、画像データを記録する記録メモリとを備えた撮像装置における撮影方法であって、
動画撮影中に静止画撮影に撮影モードが切り替えられると動画撮影を停止すると共に該動画撮影停止直前の画角情報及び前記撮像装置の姿勢情報を保持し、
前記モード切り替え後の静止画撮影から動画撮影に撮影モードが切り替えられると前記保持した画角情報に基いて前記静止画撮影前の動画撮影時の画角を再現すると共に前記保持した姿勢情報に基いて該撮像装置を支持する姿勢制御装置により前記動画撮影停止直前の該撮像装置の姿勢を復元してから動画撮影を再開すること、
を特徴とする動画撮影中の静止画撮影方法。
【請求項３】
動画を撮影して記録メモリに記録する動画撮影モードと、静止画を撮影して記録メモリに記録する静止画撮影モードを有し、被写体像を取り込んでその画像データを生成する撮像部と、生成された画像データを表示する表示部と、画像データを記録する記録メモリとを備えた撮像装置における撮影方法であって、
動画撮影中に静止画撮影に撮影モードが切り替えられると動画撮影を停止すると共に該動画撮影停止直前の画角情報及び撮影用パラメータを保持し、
前記モード切り替え後の静止画撮影から動画撮影に撮影モードが切り替えられると前記保持した画角情報に基いて前記動画撮影停止直前の画角を再現すると共に前記保持した撮影用パラメータに基いて前記動画撮影停止直前の該撮像装置の撮影状態を再現してから動画撮影を再開すること、
を特徴とする動画撮影中の静止画撮影方法。
【請求項４】
動画を撮影して記録メモリに記録する動画撮影モードと、静止画を撮影して記録メモリに記録する静止画撮影モードを有し、被写体像を取り込んでその画像データを生成する撮像部と、生成された画像データを表示する表示部と、画像データを記録する記録メモリとを備えた撮像装置における撮影方法であって、
動画撮影中に静止画撮影に撮影モードが切り替えられると動画撮影を停止すると共に該動画撮影停止直前の画角情報及びスルー画像データを保持し、
前記モード切り替え後の静止画撮影から動画撮影に撮影モードが切り替えられると前記保持した画角情報に基いて前記動画撮影停止直前の画角を再現すると共に前記保持したスルー画像データから半透過画像を生成し、前記再開後の動画撮影時に表示されるスルー画像に該生成した半透過画像を重畳させて前記表示部に表示させること、
を特徴とする動画撮影中の静止画撮影方法。
【請求項５】
動画を撮影して記録メモリに記録する動画撮影モードと、静止画を撮影して記録メモリに記録する静止画撮影モードを有し、被写体像を取り込んでその画像データを生成する撮像部と、生成された画像データを表示する表示部と、画像データを記録する記録メモリとを備えた撮像装置における撮影方法であって、
動画撮影中に静止画撮影に撮影モードが切り替えられると動画撮影を停止すると共に該動画撮影停止直前の画角情報及び画像データを保持し、
前記モード切り替え後の静止画撮影から動画撮影に撮影モードが切り替えられると前記保持した画角情報に基いて前記動画撮影停止直前の画角を再現すると共に前記保持した画像データから半透過画像を生成し、更に、前記保持した画像データと撮影モード切替後に前記撮像部によって生成された画像データとの差分から相関度を算出し、前記再開後の動画撮影時に表示されるスルー画像に該生成した半透過画像と該算出した相関度に基く相関度情報を重畳させて前記表示部に表示させること、
を特徴とする動画撮影中の静止画撮影方法。
【請求項６】
動画を撮影して記録メモリに記録する動画撮影モードと、静止画を撮影して記録メモリに記録する静止画撮影モードを有し、被写体像を取り込んでその画像データを生成する撮像部と、生成された画像データを表示する表示部と、画像データを記録する記録メモリと、を備えた撮像装置であって、
撮影モードを切り替えるモード切替手段と、
動画撮影中に前記モード切替手段によって静止画撮影モードに撮影モードが切り替えられると動画撮影を停止する動画撮影停止手段と、動画撮影停止直前の画角情報を保持する画角情報保持手段と、
前記モード切り替え後に、前記モード切替手段によって静止画撮影モードから動画撮影モードに撮影モードが切り替えられると前記画角情報保持手段が保持している画角情報に基いて前記動画撮影停止直前の画角を再現する画角再現手段と、
を備えたことを特徴とする撮像装置。
【請求項７】
動画を撮影して記録メモリに記録する動画撮影モードと、静止画を撮影して記録メモリに記録する静止画撮影モードを有し、被写体像を取り込んでその画像データを生成する撮像部と、生成された画像データを表示する表示部と、画像データを記録する記録メモリと、を備えた撮像装置であって、
撮影モードを切り替えるモード切替手段と、
動画撮影中に前記モード切替手段によって静止画撮影モードに撮影モードが切り替えられると、動画撮影を停止する動画撮影停止手段、該動画撮影停止直前の画角情報を保持する画角情報保持手段、及び該動画撮影停止直前に前記撮像部によって生成された画像データを保持する画像保持手段と、
前記モード切り替え後に、更に前記モード切替手段によって静止画撮影モードから動画撮影モードに撮影モードが切り替えられると前記画角情報保持手段が保持している画角情報に基いて前記動画撮影停止直前の画角を再現する画角再現手段及び前記画角保持手段が保持している画像データを基に半透過画像を生成する半透過画像生成手段と、
前記モード切り替え後の動画撮影モードにおいて表示されるスルー画像に前記半透過画像生成手段によって生成された半透過画像を重畳させて前記表示部に表示させる表示制御手段と、
を備えたことを特徴とする撮像装置。
【請求項８】
動画を撮影して記録メモリに記録する動画撮影モードと、静止画を撮影して記録メモリに記録する静止画撮影モードを有し、被写体像を取り込んでその画像データを生成する撮像部と、生成された画像データを表示する表示部と、画像データを記録する記録メモリと、を備えた撮像装置であって、
撮影モードを切り替えるモード切替手段と、
動画撮影中に前記モード切替手段によって静止画撮影モードに撮影モードが切り替えられると、動画撮影を停止する動画撮影停止手段、該動画撮影停止直前の画角情報を保持する画角情報保持手段、及び該動画撮影停止直前に前記撮像部によって生成された画像データを保持する画像保持手段と、
前記モード切り替え後に、更に前記モード切替手段によって静止画撮影モードから動画撮影モードに撮影モードが切り替えられると前記画角情報保持手段が保持している画角情報に基いて前記動画撮影停止直前の画角を再現する画角再現手段と、前記画像保持手段に保持した画像データと該撮影モード切替後に前記撮像部によって生成された画像データとの差分から相関度を算出する相関度算出手段と、
前記モード切り替え後の動画撮影モードにおいて表示されるスルー画像に前記相関度算出手段によって算出された相関度に基く相関度情報を重畳させて前記表示部に表示させる表示制御手段と、
を備えたことを特徴とする撮像装置。
【請求項９】
更に、前記動画撮影と並行して入力音声を録音する録音手段を備え、該録音手段は前記モード切替手段によって動画撮影から静止画撮影に撮影モードが切り替えられ、静止画撮影に移行した後も録音動作を継続することを特徴とする、請求項６乃至８のいずれか１項に記載の撮像装置。
【請求項１０】
更に、撮影モード切り替え直前に前記撮像部によって生成された画像データを動画データとして前記静止画撮影中に所定時間間隔で繰り返して前記記録メモリに記録する手段を備えたことを特徴とする請求項６乃至８のいずれか１項に記載の撮像装置。
【請求項１１】
動画を撮影して記録メモリに記録する動画撮影モードと、静止画を撮影して記録メモリに記録する静止画撮影モードを有し、被写体像を取り込んでその画像データを生成する撮像部と、生成された画像データを表示する表示部と、画像データを記録する記録メモリと、を備えた撮像装置で実行可能なプログラムであって、
動画撮影を実行させるプログラムステップと、
撮影モードの切り替え操作を検出させるプログラムステップと、
動画撮影中に静止画撮影モードへの撮影モード切替操作を検出したとき、動画撮影を停止させるプログラムステップと、該動画停止直前の画角情報を保持させるプログラムステップと、
前記静止画撮影モードから動画撮影モードへの撮影モード切替操作を検出したとき、前記保持させた画角情報を取り出して前記撮像部を制御し、前記動画撮影停止直前の画角を再現させるプログラムステップと、
前記画角の再現後に動画撮影を再開させるプログラムステップと、
を含むことを特徴とするプログラム。
【請求項１２】
動画を撮影して記録メモリに記録する動画撮影モードと、静止画を撮影して記録メモリに記録する静止画撮影モードを有し、被写体像を取り込んでその画像データを生成する撮像部と、生成された画像データを表示する表示部と、画像データを記録する記録メモリと、を備えた撮像装置で実行可能なプログラムであって、
動画撮影を実行させるプログラムステップと、
撮影モードの切り替えを検出させるプログラムステップと、
動画撮影中に静止画撮影モードへの撮影モード切替操作を検出したとき、動画撮影を停止させるプログラムステップと、該動画撮影停止直前の画角情報及び該動画撮影停止直前に前記撮像部によって生成された画像データを保持させるプログラムステップと、
前記静止画撮影モードから動画撮影モードへの撮影モード切替操作を検出したとき、前記保持させた画角情報を取り出して前記撮像部を制御し、前記動画撮影停止直前の画角を再現させるプログラムステップと、前記保持させた画角データを基に半透過画像を生成させるプログラムステップと、該画像データと撮影モード切替後に前記撮像部によって生成された画像データとの差分から相関度を算出させるプログラムステップと、前記相関度を基に前記表示部に表示させる相関度情報を作成させるログラムステップと、
前記モード切替検出後に動画撮影を再開させるプログラムステップと、動画撮影再開後に表示されるスルー画像に前記半透過画像及び相関度情報を重畳させて前記表示部に表示させるプログラムステップと、
を含むことを特徴とするプログラム。
【発明の詳細な説明】
【技術分野】
【０００１】
本発明は、デジタルカメラ等の撮像装置で動画を撮影している途中に静止画撮影を行ったあと、動画撮影を再開する際に静止画撮影で変った動画像の画角やフレーミングを静止画像撮影前の動画撮影時の画角と一致させる得る撮影技術に関する。
【背景技術】
【０００２】
デジタルカメラ等の撮像装置において、通常の静止画撮影機能に加え動画撮影機能を備えたものや、さらに静止画像や動画像と音声とを同時に録音する音声録音機能を備えたものがある。
【０００３】
このようなデジタルカメラでは、通常、撮影モードとして静止画撮影を行う静止画撮影モードと、動画撮影を行う動画撮影モードを設け、キー操作等のユーザ操作によってモード遷移を行う仕様になっている。
【０００４】
また、デジタルカメラにおいて、動画撮影中に静止画撮影を行いたい場合があるが、従来技術として、動画撮影中に静止画の撮影操作に応じて動画フレーム撮影周期で動画フレームを撮像してバッファメモリに記憶する操作を行いながら、次の動画フレームを記録する間に静止画を撮像して記録する技術、つまり、動画撮影処理と静止画撮影処理とを平行して行うものがある（例えば、特許文献１参照）。  
また、動画撮影中に静止画の撮影操作があったとき、動画フレームの撮影及び記憶動作をいったん中断し、その間に静止画を撮像して記録した後、動画フレームの撮像及び記録を再開する技術、つまり、静止画撮影中に記録できなかった中断期間の動画フレームに対応する補間用のフレームを別途生成して記憶しておき、動画再生時には、中断期間に補間用のフレームを表示させることにより、結果として動画撮影中の静止画撮影を可能とするものがある（例えば、特許文献２参照）。
【特許文献１】特開平１１−５５６１７号公報
【特許文献２】特開２００１−１１１９３４号公報
【発明の開示】
【発明が解決しようとする課題】
【０００５】
しかしながら、動画撮影中に静止画撮影を行う場合に、静止画の画角やフレーミングを変えて撮影したくなる場合が多い。このような場合に、静止画撮影前に実行されていた動画撮影処理で得た動画の画角やフレーミングと、静止画撮影後に再開された動画撮影時の画角やフレーミングが異なることが多いが、ユーザがカメラの画角やフレーミングを変えて静止画撮影前に実行されていた動画撮影時の画角やフレーミングを再現することが困難であるため、記録された動画の画角やフレーミングにずれが生じ、動画再生時に静止画撮影前の動画と静止画撮影直後の動画との間で違和感を感ずるといった課題があった。また、このような課題は上述した特許文献１、特許文献２に開示の技術では解決できなかった。
【０００６】
本発明は、上記課題を解決するためになされたものであり、動画を撮影している途中に静止画撮影を行ったあと、動画撮影を再開する際に静止画撮影時に変えられた動画像の画角やフレーミングを一致させる得る撮影方法、撮像装置、及びプログラムの提供を目的とする。
【課題を解決するための手段】
【０００７】
上記課題を解決するために、請求項１に記載の発明では、動画を撮影して記録メモリに記録する動画撮影モードと、静止画を撮影して記録メモリに記録する静止画撮影モードを有し、被写体像を取り込んでその画像データを生成する撮像部と、生成された画像データを表示する表示部と、画像データを記録する記録メモリとを備えた撮像装置における撮影方法であって、動画撮影中に静止画撮影に撮影モードが切り替えられると動画撮影を停止すると共に該動画撮影停止直前の画角情報を保持し、モード切り替え後の静止画撮影から動画撮影に撮影モードが切り替えられると保持した画角情報に基いて動画撮影停止直前の画角を再現してから動画撮影を再開すること、を特徴とする動画撮影中の静止画撮影方法を提供する。  
これにより、静止画撮影のために動画撮影が一時停止するときにその直前の画角情報を記憶しておき、静止画撮影終了後に記録してあったその画角情報を用いることにより自動的に元の画角に戻すことができるので、動画撮影停止直前の動画と静止画撮影終了直後に再開され、撮影される動画との間で違和感を生じない。
【０００８】
また、請求項２に記載の発明では、動画を撮影して記録メモリに記録する動画撮影モードと、静止画を撮影して記録メモリに記録する静止画撮影モードを有し、被写体像を取り込んでその画像データを生成する撮像部と、生成された画像データを表示する表示部と、画像データを記録する記録メモリとを備えた撮像装置における撮影方法であって、動画撮影中に静止画撮影に撮影モードが切り替えられると動画撮影を停止すると共に該動画撮影停止直前の画角情報及び撮像装置の姿勢情報を保持し、モード切り替え後の静止画撮影から動画撮影に撮影モードが切り替えられると保持した画角情報に基いて静止画撮影前の動画撮影時の画角を再現すると共に保持した姿勢情報に基いて該撮像装置を支持する姿勢制御装置により動画撮影停止直前の該撮像装置の姿勢を復元してから動画撮影を再開すること、を特徴とする動画撮影中の静止画撮影方法を提供する。  
これにより、ユーザが静止画撮影時に画角や撮影アングルを変えても、動画撮影復帰時に元の画角を再現すると共に撮像装置の姿勢を復元できるので、違和感のない動画を得ることができる。つまり、完全なアングルの保持及び復帰ができるので、動画撮影を再開する際に静止画撮影時に変えられた動画像の画角や撮影アングルを略一致させることができる。
【０００９】
また、請求項３に記載の発明では、動画を撮影して記録メモリに記録する動画撮影モードと、静止画を撮影して記録メモリに記録する静止画撮影モードを有し、被写体像を取り込んでその画像データを生成する撮像部と、生成された画像データを表示する表示部と、画像データを記録する記録メモリとを備えた撮像装置における撮影方法であって、動画撮影中に静止画撮影に撮影モードが切り替えられると動画撮影を停止すると共に該動画撮影停止直前の画角情報及び撮影用パラメータを保持し、モード切り替え後の静止画撮影から動画撮影に撮影モードが切り替えられると保持した画角情報に基いて動画撮影停止直前の画角を再現すると共に保持した撮影用パラメータに基いて動画撮影停止直前の該撮像装置の撮影状態を再現してから動画撮影を再開すること、を特徴とする動画撮影中の静止画撮影方法を提供する。  
これにより、静止画撮影時に色処理、輪郭処理、圧縮立等の撮影パラメータが変わっても、動画撮影復帰時に元の撮影パラメータに戻るので、違和感のない動画を得ることができる。
【００１０】
また、請求項４に記載の発明では、動画を撮影して記録メモリに記録する動画撮影モードと、静止画を撮影して記録メモリに記録する静止画撮影モードを有し、被写体像を取り込んでその画像データを生成する撮像部と、生成された画像データを表示する表示部と、画像データを記録する記録メモリとを備えた撮像装置における撮影方法であって、動画撮影中に静止画撮影に撮影モードが切り替えられると動画撮影を停止すると共に該動画撮影停止直前の画角情報及びスルー画像データを保持し、モード切り替え後の静止画撮影から動画撮影に撮影モードが切り替えられると保持した画角情報に基いて動画撮影停止直前の画角を再現すると共に保持したスルー画像データから半透過画像を生成し、再開後の動画撮影時に表示されるスルー画像に該生成した半透過画像を重畳させて表示部に表示させること、を特徴とする動画撮影中の静止画撮影方法を提供する。  
これにより、ユーザは動画撮影停止直前のフレームと略同じ撮影アングルになるように撮像装置を動かして確認し、動画撮影停止直前のフレームと略同じ撮影アングルで動画撮影を開始できる。つまり、スルー画像に半透過画像を重畳表示することにより撮影アングルを動画撮影停止直前の撮影アングルに合わせやすいのでより正確なアングル設定が可能となり、スムースな動画継続が可能となる。
【００１１】
また、請求項５に記載の発明では、動画を撮影して記録メモリに記録する動画撮影モードと、静止画を撮影して記録メモリに記録する静止画撮影モードを有し、被写体像を取り込んでその画像データを生成する撮像部と、生成された画像データを表示する表示部と、画像データを記録する記録メモリとを備えた撮像装置における撮影方法であって、動画撮影中に静止画撮影に撮影モードが切り替えられると動画撮影を停止すると共に該動画撮影停止直前の画角情報及び画像データを保持し、モード切り替え後の静止画撮影から動画撮影に撮影モードが切り替えられると保持した画角情報に基いて動画撮影停止直前の画角を再現すると共に保持した画像データから半透過画像を生成し、更に、保持した画像データと撮影モード切替後に撮像部によって生成された画像データとの差分から相関度を算出して再開後の動画撮影時に表示されるスルー画像に該生成した半透過画像と該算出した相関度に基く相関度情報を重畳させて表示部に表示させること、を特徴とする動画撮影中の静止画撮影方法を提供する。  
これにより、更に、動画撮影停止直前の画像データと動画撮影再開後に新たに取り込まれた画像データとの撮影アングルの相関度データを求め、動画撮影再開後のスルー表示の際に半透過画像と相関度情報を重畳表示するので、動画撮影停止直前のアングルと現在の撮影画像との相関を確認できることから、動画撮影再開時に、更に正確な撮影アングルの設定が可能になる。
【００１２】
また、請求項６に記載の発明では、動画を撮影して記録メモリに記録する動画撮影モードと、静止画を撮影して記録メモリに記録する静止画撮影モードを有し、被写体像を取り込んでその画像データを生成する撮像部と、生成された画像データを表示する表示部と、画像データを記録する記録メモリと、を備えた撮像装置であって、撮影モードを切り替えるモード切替手段と、動画撮影中にモード切替手段によって静止画撮影モードに撮影モードが切り替えられると動画撮影を停止する動画撮影停止手段と、動画撮影停止直前の画角情報を保持する画角情報保持手段と、モード切り替え後に、モード切替手段によって静止画撮影モードから動画撮影モードに撮影モードが切り替えられると画角情報保持手段が保持している画角情報に基いて動画撮影停止直前の画角を再現する画角再現手段と、を備えたことを特徴とする撮像装置を提供する。  
これにより、撮像装置は静止画撮影のために動画撮影が一時停止するときにその直前の画角情報を記憶しておき、静止画撮影終了後に記録してあったその画角情報を用いることにより自動的に元の画角に戻すので、記録した動画ファイルを再生したときに画角が一致することから、動画撮影停止直前の動画と静止画撮影終了直後に再開され、撮影される動画との間で違和感を生じない。
【００１３】
また、請求項７に記載の発明では、動画を撮影して記録メモリに記録する動画撮影モードと、静止画を撮影して記録メモリに記録する静止画撮影モードを有し、被写体像を取り込んでその画像データを生成する撮像部と、生成された画像データを表示する表示部と、画像データを記録する記録メモリと、を備えた撮像装置であって、撮影モードを切り替えるモード切替手段と、動画撮影中にモード切替手段によって静止画撮影モードに撮影モードが切り替えられると、動画撮影を停止する動画撮影停止手段、該動画撮影停止直前の画角情報を保持する画角情報保持手段、及び該動画撮影停止直前に撮像部によって生成された画像データを保持する画像保持手段と、記モード切り替え後に、更にモード切替手段によって静止画撮影モードから動画撮影モードに撮影モードが切り替えられると画角情報保持手段が保持している画角情報に基いて動画撮影停止直前の画角を再現する画角再現手段及び画像保持手段が保持している画像データを基に半透過画像を生成する半透過画像生成手段と、モード切り替え後の動画撮影モードにおいて表示されるスルー画像に半透過画像生成手段によって生成された半透過画像を重畳させて表示部に表示させる表示制御手段と、を備えたことを特徴とする撮像装置を提供する。  
これにより、ユーザは動画撮影停止直前のフレームと略同じ撮影アングルになるように撮像装置を動かして確認し、動画撮影停止直前のフレームと略同じ画角撮影アングルで動画撮影を開始できる。つまり、画角の一致及びフレーミングを略一致できることから動画撮影停止前の動画と静止画撮影終了直後に再開され、撮影される動画との間で違和感を生じない。
【００１４】
また、請求項８に記載の発明では、動画を撮影して記録メモリに記録する動画撮影モードと、静止画を撮影して記録メモリに記録する静止画撮影モードを有し、被写体像を取り込んでその画像データを生成する撮像部と、生成された画像データを表示する表示部と、画像データを記録する記録メモリと、を備えた撮像装置であって、撮影モードを切り替えるモード切替手段と、動画撮影中にモード切替手段によって静止画撮影モードに撮影モードが切り替えられると、動画撮影を停止する動画撮影停止手段、該動画撮影停止直前の画角情報を保持する画角情報保持手段、及び該動画撮影停止直前に撮像部によって生成された画像データを保持する画像保持手段と、モード切り替え後に、更にモード切替手段によって静止画撮影モードから動画撮影モードに撮影モードが切り替えられると画角情報保持手段が保持している画角情報に基いて動画撮影停止直前の画角を再現する画角再現手段と、画像保持手段に保持した画像データと該撮影モード切替後に撮像部によって生成された画像データとの差分から相関度を算出する相関度算出手段と、モード切り替え後の動画撮影モードにおいて表示されるスルー画像に相関度算出手段によって算出された相関度に基く相関度情報を重畳させて表示部に表示させる表示制御手段と、を備えたことを特徴とする撮像装置を提供する。  
これにより、撮像装置は、更に動画撮影停止直前の画像データと動画撮影再開後に新たに取り込まれた画像データとの撮影アングルの相関度データを求め、動画撮影再開後のスルー表示の際に半透過画像と相関度情報を重畳表示するので、動画撮影停止直前のアングルと現在の撮影画像との相関を確認できることから、動画撮影再開時に、更に正確な撮影アングルの設定が可能になる。
【００１５】
また、請求項９に記載の発明では、更に、動画撮影と並行して入力音声を録音する録音手段を備え、該録音手段はモード切替手段によって動画撮影から静止画撮影に撮影モードが切り替えられ、静止画撮影に移行した後も録音動作を継続することを特徴とする、請求項６乃至８のいずれか１項に記載の撮像装置を提供する。  
これにより、動画撮影を停止して静止画を撮影している間に入力する音声を録音できるので音声の途切れがなく、再生時に違和感を生じない。
【００１６】
また、請求項１０に記載の発明では、更に、撮影モード切り替え直前に撮像部によって生成された画像データを動画データとして静止画撮影中に所定時間間隔で繰り返して記録メモリに記録する手段を備えたことを特徴とする請求項６乃至８のいずれか１項に記載の撮像装置を提供する。  
これにより、動画撮影を停止して静止画を撮影している間も動画撮影停止直前の動画が記録されるので、静止画像撮影中の動画は止まっているものの動画撮影再開時の画角等が一致しているので、再生時に違和感を生じない。
【００１７】
また、請求項１１に記載の発明では、動画を撮影して記録メモリに記録する動画撮影モードと、静止画を撮影して記録メモリに記録する静止画撮影モードを有し、被写体像を取り込んでその画像データを生成する撮像部と、生成された画像データを表示する表示部と、画像データを記録する記録メモリと、を備えた撮像装置で実行可能なプログラムであって、動画撮影を実行させるプログラムステップと、撮影モードの切り替え操作を検出させるプログラムステップと、動画撮影中に静止画撮影モードへの撮影モード切替操作を検出したとき、動画撮影を停止させるプログラムステップと、該動画停止直前の画角情報を保持させるプログラムステップと、静止画撮影モードから動画撮影モードへの撮影モード切替操作を検出したとき、保持させた画角情報を取り出して撮像部を制御し、動画撮影停止直前の画角を再現させるプログラムステップと、画角の再現後に動画撮影を再開させるプログラムステップと、を含むことを特徴とするプログラムを提供する。  
これにより、撮像装置は静止画撮影のために動画撮影が一時停止するときにその直前の画角情報を記憶しておき、静止画撮影終了後に記録してあったその画角情報を用いることにより自動的に元の画角に戻すことができる。
【００１８】
また、請求項１２に記載の発明では、動画を撮影して記録メモリに記録する動画撮影モードと、静止画を撮影して記録メモリに記録する静止画撮影モードを有し、被写体像を取り込んでその画像データを生成する撮像部と、生成された画像データを表示する表示部と、画像データを記録する記録メモリと、を備えた撮像装置で実行可能なプログラムであって、動画撮影を実行させるプログラムステップと、撮影モードの切り替えを検出させるプログラムステップと、動画撮影中に静止画撮影モードへの撮影モード切替操作を検出したとき、動画撮影を停止させるプログラムステップと、該動画撮影停止直前の画角情報及び該動画撮影停止直前に撮像部によって生成された画像データを保持させるプログラムステップと、静止画撮影モードから動画撮影モードへの撮影モード切替操作を検出したとき、保持させた画角情報を取り出して撮像部を制御し、動画撮影停止直前の画角を再現させるプログラムステップと、保持させた画角データを基に半透過画像を生成させるプログラムステップと、該画像データと撮影モード切替後に撮像部によって生成された画像データとの差分から相関度を算出させるプログラムステップと、相関度を基に表示部に表示させる相関度情報を作成させるログラムステップと、モード切替検出後に動画撮影を再開させるプログラムステップと、動画撮影再開後に表示されるスルー画像に半透過画像及び相関度情報を重畳させて表示部に表示させるプログラムステップと、を含むことを特徴とするプログラムを提供する。  
これにより、ユーザは動画撮影停止直前のフレームと略同じ撮影アングルになるように撮像装置を動かして確認し、動画撮影停止直前のフレームと略同じ画角撮影アングルで動画撮影を開始できる。つまり、画角を自動的に一致させ、フレーミングを動画撮影停止直前に簡単に一致させることができる。
【発明の効果】
【００１９】
本発明によれば、静止画撮影のために動画撮影が一時停止するときにその時点の画角情報等を記憶しておき、静止画撮影終了後に記録してあったその画角情報等を用いることにより自動的に元の画角やアングルに戻すことができるので、静止画撮影前の動画と静止画撮影終了直後に再開され撮影される動画との間で違和感を生じない。
【発明を実施するための最良の形態】
【００２０】
図１は、デジタルカメラの外観構成の一例を示す図であり、ここでは主として前面及び上面の構成を示す。  
デジタルカメラ１００は略矩形の薄板状金属外装ボディの前面に、撮影レンズ２、マイクロフォン部５、及びストロボ発光部６を配設し、上面の（ユーザにとって）右側には電源キー７、モード切替ボタン８、及びシャッターキー９を配している。
【００２１】
撮影レンズ２は、焦点距離を無段階に可変するズーム機能及びＡＦ機能を有し、電源オフ時及び基本モードである再生時にはボディ内に沈胴する。マイクロフォン部５は撮影中に音声を入力して電気信号（アナログ音声信号）に変換する。
電源キー７は、電源のオン／オフ毎に操作するキーであり、モード切替ボタン８は動画撮影モードと静止画撮影モードをワンタッチで切り替えるボタンであり、動画撮影中にモード切替ボタン８を押すと静止画撮影モードになり、静止画撮影中にモード切替ボタン８を押すと動画撮影モードとなる。シャッターキー９は撮影モード時に撮影タイミングを指示する撮影指示手段である。
【００２２】
また、ここでは図示しないが、デジタルカメラ１００の背面には各種処理モードを選択するためのモードスイッチ、メニューキー、十字キー、スピーカ、ストロボチャージランプ、及び画像表示部等を配している。さらに、底面には、記録媒体として用いるメモリーカードを着脱するためのメモリーカードスロットや、外部のパーソナルコンピュータ等と接続するためのシリアルインターフェイスコネクタとして、例えばＵＳＢ（Universal Serial Bus）コネクタ等が設けられているものとする。
【００２３】
図２は、デジタルカメラの回路構成の一実施例を示すブロック図である。このデジタルカメラ１００は、ズーム機能とオートフォーカス（ＡＦ）機能とを備えたものであって、それを実現するためのレンズブロック１０を有している。  
レンズブロック１０には、光軸方向に移動可能に配置されたズームレンズ及びフォーカスレンズからなる沈胴式のレンズ群１１と、このレンズ群１１におけるズーム位置用及びフォーカス位置用の位置検出センサ１２、１３とズームレンズを移動するズームモータ１４及びフォーカスレンズを移動するフォーカスモータ１５と、図示しない絞りを開閉する絞り用アクチュエータ１６と、メカニカルシャッターを開閉するシャッター用アクチュエータ１７とが設けられている。また、上記の各モータ及びアクチュエータ１４〜１７は、モータードライバーブロック２０に設けられたズーム用（ＺＯＯＭ）、フォーカス用（Ｆｏｃｕｓ）、絞り用（Ｉｒｉｓ）、シャッター用（Ｓｈｕｔｔｅｒ）の各ドライバー２１〜２４によって駆動される。また、本発明の各実施形態においては、ズームモータ１４とズーム用ドライバー２１、フォーカスモータ１５とフォーカス用ドライバー２２はそれぞれ本発明のレンズ駆動手段に相当する。
【００２４】
上記位置検出センサ１２、１３、及びモータードライバーブロック２０の各ドライバー２１〜２４はレンズコントロールブロック５５からの制御信号によって動作し、センサー出力及びモータ回転数等の情報をレンズコントロールブロック５５を介して制御部（ＣＰＵ／ＡＳＩＣ（Application Specific Integrated Circuit））５０に送出する。
【００２５】
また、デジタルカメラ１００は、主としてレンズ群１１の撮影光軸後方に配置された撮像素子であるＣＣＤ３１と、ＣＤＳ（Correlated Double Sampling）／ＡＤブロック３２、ＴＧ（Timing Generator；タイミングジェネレータ）３３とからなるＣＣＤ撮像系ブロック３０を有している。  ＣＣＤ３１は、デジタルカメラが記録モードに設定されているとき、レンズ群１１によって結像された被写体の光学像を光電変換すると共に、ＴＧ３３によって走査駆動され一定周期毎に光電変換出力を１画面分出力する。ＣＤＳ／ＡＤブロック３２は、ＣＣＤ３１から出力された後、ＲＧＢの色成分毎に適宜ゲイン調整されたアナログの出力信号に対する相関二重サンプリングによるノイズ除去、及びデジタル信号への変換を行い、カラープロセス回路４０に出力する。なお、ＣＣＤは撮像素子の一種であってＣＭＯＳなど他の素子でもよい。
【００２６】
音声系ブロック３５は、図３に示すように、音声を入力してアナログ音声信号に変換するマイクロフォン（ＭＩＣ）３６、及びアナログ音声信号をデジタル音声信号に変換して制御部５０に送出するＡ／Ｄ変換器（ＡＤＣ）３７等からなる音声入力系と、デジタル音声信号をアナログ音声信号に変換するＤ／Ａ変換器（ＤＡＣ）３８、及び制御部５０から受け取ったアナログ音声信号を変換して音声を再生し増幅して外部に出力するスピーカ（Ｓｐｅａｋｅｒ）３８等からなる音声出力系とを備えている。  
また、図３、図４に示すように、音声の録音と撮影動作は並行して行われ、動画撮影モードが一時停止されて静止画撮影モードに切り替えられても録音動作は継続され、動画撮影が再開されたあとも続行される。入力音声はマイクロフォン３６、Ａ／Ｄ変換器３７を介して制御部５０に送出された音声信号はワークメモリ６０に取り込まれ、記録時に、音声圧縮処理を施された後、圧縮された動画像ファイルと共に動画ファイル（動画データ＋音声データ）として画像記録部８０に着脱自在に装着される記録媒体（例えば、ＳＤカード）に記録保存される。
【００２７】
カラープロセス回路４０は、入力した撮像信号に対し画素補間処理を行うカラープロセス処理を施し、デジタル値の輝度信号（Ｙ）及び色差信号（Ｃｂ、Ｃr)を生成して本発明の制御手段であってデジタルカメラ１００全体を制御する制御部５０へ出力する。
【００２８】
ＪＰＥＧ／ＭＰＥＧ部４５は静止画撮影モードでは、記録時に、ワークメモリ６０に取り込まれている静止画像データをＡＤＣＴ（Adaptive Discrete Cosine Transform：適応離散コサイン変換）、エントロピ符号化方式であるハフマン符号化等の処理によりデータ圧縮する。そして得た符号データを１画像のデータファイルとしてＪＰＥＧ／ＭＰＥＧ回路２７から読出し、画像記録部８０のＳＤカードに記録保存する。  
また、動画画撮影モードでは、記録時に、ワークメモリ６０に取り込まれている一連の動画像データをＭＰＥＧ（Moving Picture  Experts Group）方式等によりデータ圧縮する。そして得た符号データを１画像のデータファイルとしてＪＰＥＧ／ＭＰＥＧ回路２７から読出し、画像記録部８０のＳＤカードに記録保存する。
【００２９】
上記ＪＰＥＧ／ＭＰＥＧ部４５は複数の圧縮率に対応しており、圧縮率に対応させて記憶するモードは圧縮率の低い高解像度（一般に、高精密、ファイン、ノーマルなどと呼ばれる）に対応するモードと圧縮率の高い低解像度（一般にエコノミーなどと呼ばれる）モードがある。  
また、高画素数から低画素数にも対応している。例えば、ＳＸＧＡ（１６００×１２００）、ＸＧＡ（１０２４×７８６）、ＳＶＧＡ（８００×６００）、ＶＧＡ（６４０×４８０）等と呼ばれる画素サイズがある。
【００３０】
制御部５０は、実際にはＲＡＭやフラッシュメモリ等の内部メモリや各種の演算処理回路、データの入出力インターフェイス等を備えたマイクロプロセッサーであり、制御部５０に送られたデジタル信号（画像信号）はＤＲＡＭ等のワークメモリ６０に一時保存されると共に画像表示部７０に送られる。そして１フレーム分の輝度及び色差信号の圧縮処理及び画像記録部８０の記録媒体（例えば、ＳＤカード）への全圧縮データの書込み終了に伴って、制御部５０はＣＣＤ３１からワークメモリ６０への経路を再び起動する
【００３１】
また、制御部５０は、フラッシュメモリ等の書き換え可能なメモリに記憶されている各種のレンズ動作制御プログラムや、キーブロック９０からの操作信号等に基づき、レンズコントロールブロック５５に対して、前述したモータドライバーブロック２０の各種ドライバー２１〜２４に送る駆動信号を生成させ、それによりズームレンズやフォーカスレンズの位置制御、絞りの開度、メカニカル開閉動作を制御する。その際、制御部５０には、レンズコントロールブロック５５を介して、ズーム位置用及びフォーカス位置用の位置検出センサ１２、１３によって検出したズームレンズやフォーカスレンズのレンズの位置情報が逐次入力する。
【００３２】
画像表示部７０は、ビデオエンコーダー、ＶＲＡＭコントローラ、ＶＲＡＭ、液晶モニタ及びその駆動回路を含み、送られたデジタル信号に基づくビデオ信号をビデオエンコーダーによって生成し、それに基づく表示画像、すなわちＣＣＤ３１に撮像された被写体のスルー画像やメニューデータ等、を液晶モニタに表示する。
【００３３】
また、画像表示部７０はモニタ表示部（電子ファインダ）として機能するもので、ビデオエンコーダからのビデオ信号に基づいた表示を行うことで、その時点でＶＲＡＭコントローラから取込んでいる画像情報に基づく画像をリアルタイムに表示することになる。  
このように画像表示部７０にその時点での画像がモニタ画像としてリアルタイムに表示されているいわゆるスルー画像の表示状態で、上記シャッターキー９を操作するとトリガ信号を発生する。
【００３４】
制御部５０はこのトリガ信号に応じてその時点でＣＣＤ３１から取込んでいる１画面分の輝度及び色差信号のワークメモリ６０へのＤＭＡ転送の終了後、直ちにＣＣＤ３１からのワークメモリ６０への経路を停止し、記録保存の状態に遷移する。  
画像記録部８０は、具体的にはカードインターフェイス、及びそれを介して制御部５０に接続され、かつカメラ本体に着脱自在に装着される不揮発性の各種メモリカード（例えば、ＳＤカード）から構成される。画像記録部８０に記録された画像データは、再生モードにおいて制御部５０に読み出され、ＪＰＥＧ／ＭＰＥＧ部４５によって伸張された後、画像表示部７０へ送られ、液晶モニタに表示される。
【００３５】
キーブロック９０は、上述した電源キー７、モード切換えキー８、シャッターキー９、メニューキー、ズームキー等の各種キーと、それらの入力を受け付け、それに応じた操作信号を制御部５０に送るサブＣＰＵ／ＡＳＩＣ（図示せず）とから構成されている。なお、サブＣＰＵ／ＡＳＩＣは、必要に応じモード切替ボタンの状態を示す状態信号（以下、キー情報）を制御部５０に送る。
【００３６】
図３は、録音と録音の並行動作による音声データと画像データの遷移の説明図である。音声系ブロック３５でデジタルの音声信号に変換された音声データは音声圧縮処理部４８で圧縮処理されて動画撮影開始から終了まで継続して録音（つまり、画像記録部８０のＳＤカードに記録）される。  
一方、ＣＣＤ撮像系ブロック３０、カラープロセス回路４０を得て生成されたデジタル画像データはＪＰＥＧ／ＭＰＥＧ部４５で圧縮処理され、動画撮影モードでは継続して記録されるが、モード切替ボタン８が押されて静止画撮影モードになった場合にはシャッターキー９を全押しした後の静止画像のみを取り込み、動画とは別の静止画像ファイルとして記録する。また、静止画撮影モード中は、動画データとしてモード切替ボタン８の押下げ直前に取り込まれた画像データを繰り返し動画データとして使用して記録する（このようにすることにより、前回データと同じということでメモリ容量が少なくて済む）。次に、もう一度モード切替ボタン８が押されると動画撮影が開始され、新しい動画信号の記録が開始される。また、上記音声データは記録される動画データに時系列的に対応づけられて記録（録音）される。
【００３７】
図４は、画像記録部８０に記録される動画ファイル及び静止画ファイルの模式図である。動画ファイル１４０はファイルサイズ、フレーム数、音声データサイズなどの情報を含むヘッダ部１４１と、音声や画像の実データを含むデータ部１４２、及びランダムアクセスを容易にするためのインデックス部１４３からなる。データ部１４２において、静止画撮影モード中は、音声のみ取り込む。動画像はモード切替ボタン８の押し下げ直前に取り込まれた動画データを繰り返し記録する。また、この間に撮影された静止画データは静止画ファイル１４５として記録される。
【００３８】
（実施形態１）  
本実施形態では、静止画撮影のために動画撮影が一時停止されるときに、そのときの画角情報（例えばズーム位置）を記憶しておき、静止画撮影終了後に記憶しておいた画角情報を用いて自動的に元の画角に戻すようにする例について説明する。
図５は本実施形態における撮影モードにおけるワークメモリの領域使用状態の説明図であり、図５（ａ）は撮影待機中のワークエリア６０の状態、図５（ｂ）は動画撮影中のワークエリア６０の状態、図５（ｃ）は動画／静止画切替中のワークエリア６０の状態、図５（ｄ）は静止画撮影中のワークエリア６０の状態を示す。
【００３９】
撮影待機中とはデジタルカメラ１００を起動した直後でのスルー表示状態をいい、撮影待機中はワークエリア６０には、図５（ａ）に示すように、音声用バッファ６１及びスルー表示用バッファ６２が確保され、音声用バッファ６１には撮影待機中に取り込まれる音声データが記憶され、スルー表示用バッファ６２には撮影待機中に取り込まれる画像データが記憶される。
【００４０】
動画撮影中にはワークエリア６０には、図５（ｂ）に示すように、更に、動画用バッファ６３が確保され、音声用バッファ６１には動画撮影中に取り込まれる音声データが記憶され、スルー表示用バッファ６２には動画撮影中に取り込まれる画像データが記憶され、動画用バッファ６３には動画撮影により取り込まれる動画像データが記憶される。
【００４１】
また、動画／静止画切替中には、図５（ｃ）に示すように、音声用バッファ６１及びスルー表示用バッファ６２が使用され、音声用バッファ６１には動画／静止画切替中に取り込まれる音声データが記憶され、スルー表示用バッファ６２には動画／静止画切替中に取り込まれる被写体画像データが記憶される。
【００４２】
静止画撮影中にはワークエリア６０には、図５（ｄ）に示すように、音声用バッファ６１及びスルー表示用バッファ６２のほか、静止画用バッファ６４が確保され、音声用バッファ６１には静止画撮影中に取り込まれる音声データが記憶され、スルー表示用バッファ６２には静止画撮影中に取り込まれる被写体画像データが記憶され、静止画用バッファ６３には静止画撮影により取り込まれる静止画像データが記憶される。また、符号６５はあき領域を示す。  
なお、一連のどの動作においてもスルー表示は続いているので、スルー表示用バッファ６２は常に使用されている。
【００４３】
図６は、実施形態１における動画撮影モードと静止画撮影モードの切替動作を示すフローチャートである。以下に示す処理は基本的に制御部５０が予めフラッシュメモリ等のプログ格納メモリに固定記憶したプログラムに従って実行するものである。  
また、本実施形態ではシャッターキー９が２段階のストローク操作で動作し、基本的な動作として、動画撮影モードでは、第１段階のストローク操作、つまり、シャッターキー９の「半押し」状態で動画撮影を開始し、その後の第２段階のストローク操作、つまり、シャッターキー９の「全押し」状態で動画撮影を終了するものとする。  
また、静止画撮影モードではシャッターキー９の「半押し」状態でＡＦ動作を実行して合焦状態と露出状態をロックし、その後の第２段階のストローク操作、つまり、シャッターキー９の「全押し」状態でロックした合焦状態及び露出状態による撮影を行うものとする。
【００４４】
図６で、動画撮影モードが選択されると、音声系ブロック３５を介して録音が開始されると共に、ＣＣＤ撮像系ブロック３０、カラープロセス回路４０を介して画像データが取り込まれて画像表示部７０にスルー画像表示され、シャッターキー９の半押し操作により動画撮影が開始され動画データ及び録音データが画像記録部８０に記録される（ステップＳ０）。
【００４５】
制御部５０は上記ステップＳ０の動画撮影中にキー情報（つまりキーブロック９０からの状態信号）を取得すると（ステップＳ１）、そのキー情報を調べ、キー情報がズームキーの操作状態を示す場合はステップＳ３に進み、モード切替ボタン８の押し下げを意味する場合はステップＳ４に進み、シャッターキー９の全押しを意味する場合はステップＳ１２に進む（ステップＳ２）。
【００４６】
ズームキーが操作されると、制御部５０はズームレンズ制御を行う。つまり、ズーム位置検出センサ１２からのズームレンズの位置情報とズームキーの操作に対応したズームレンズ移動情報からズームレンズ制御信号を生成してレンズコントロールブロック５５を介してズームモータドライバ２１に送り、ズームモータ１４を駆動させてズームレンズをワイド側又は望遠側に移動させ、ステップＳ１に戻る（ステップＳ３）。
【００４７】
モード切替ボタン８が押されると、制御部５０は、動画撮影（つまり、動画記録部８０への動画データの記録）を停止し、その直前にズーム位置検出センサ１２から取得したズーム位置情報（＝画角情報）をＲＡＭに保持（一時記憶）してステップＳ５に進む（ステップＳ４）。
【００４８】
制御部５０は更にキー情報の取得を待ち、キー情報を取得すると（ステップＳ５）、そのキー情報を調べ、キー情報がズームキーの操作状態を示す場合はステップＳ７に進み、モード切替ボタン８の押し下げを意味する場合はステップＳ８に進み、シャッターキー９の半押しを意味する場合はステップＳ１０に進む（ステップＳ５）。
【００４９】
ズームキーが操作されると、制御部５０は上記ステップＳ３と同様のズームレンズ制御を行い、ズームモータ１４を駆動してズームレンズをワイド側又は望遠側に移動させ、ステップＳ５に戻る（ステップＳ７）。
【００５０】
モード切替ボタン８が押された場合は、上位ステップＳ４でＲＡＭに保持したズーム位置情報を取り出し、そのズーム位置情報を基にズームレンズ制御信号を生成してレンズコントロールブロック５５を介してズームモータドライバ２１に送り、ズームモータ１４を駆動させてズームレンズをワイド側又は望遠側に移動させて、ズームレンズの位置を上記ステップＳ４での動画撮影停止直前の位置に復帰させ（ステップＳ８）、動画撮影を再開させて（図７のステップＴ１〜Ｔ４参照）、動画撮影が終わるとステップＳ１に戻る（ステップＳ９）。
【００５１】
シャッターキー９の半押しがあると、静止画撮影処理等（図８のステップＵ１〜ステップＵ７参照）を開始させ、静止画撮影が終わるとステップＳ５に戻る（ステップＳ１０）。
【００５２】
上記ステップＳ０又はステップＳ９の動画撮影中にシャッターキー９が全押しされると動画撮影を終了し、図４の例に示したように動画撮影モードで記録した動画データ及び録音データを併せて動画ファイルとして画像記録部８０に記録し直す（ステップＳ１１）。
【００５３】
上記図６のフローチャートに示した動作により、静止画撮影のために動画撮影が一時停止するときにその直前の画角情報（ズーム位置情報）を記憶しておき、静止画撮影終了後に記録してあったその画角情報を用いることにより自動的に元の画角に戻すことができるので、記録した動画ファイルを再生したときに画角が一致することから静止画像撮影中の動画は止まっているものの、静止画撮影前の動画と静止画撮影直後の動画との間で違和感を生じない。
【００５４】
図７は、図６のステップＳ９（又は図１０のステップＶ１６）における動画撮影処理動作を示すフローチャートである。  
図６のステップＳ６、Ｓ８（又は図１０のステップＶ１２、Ｖ１５）を経て、制御部５０は、図３に示したように、ＣＣＤ撮像系ブロック３０、カラープロセス回路４０を得て生成された動画データを間引き処理して画像表示部７０のモニタ画面にスルー表示する（ステップＴ１）。  
【００５５】
次に、制御部５０はキーブロック９０からのキー情報を調べ、シャッターキー９の半押しを意味するキー情報を受け取った場合にはステップＴ３に進み、シャッターキー９の半押し以外のキー操作があった場合又は所定時間を経過してもキーが操作されない場合は図６のステップＳ１に戻る（ステップＴ２）。
【００５６】
シャッターキー９が半押しされた場合は、音声系ブロック３５を介して録音を行うと共に、ＣＣＤ撮像系ブロック３０、カラープロセス回路４０を介して画像データを取り込んで動画撮影を行い（ステップＴ３）、音声データを音声圧縮処理部４８で圧縮すると共に、動画データをＪＰＥＧ／ＭＰＥＧ部４５で圧縮処理し、圧縮された音声データ及び動画データを対応付けて画像記録部８０のＳＤカードに記録し、ステップＴ１に戻る（ステップＴ４）。
【００５７】
図８は、図６のステップＳ１０（又は図１０のステップＶ１７）における静止画撮影処理動作を示すフローチャートである。  
図６のステップＳ６（又は図１０のＶ６）でキー情報がシャッターキー９の半押しを意味する場合は、シャッターキー９の半押し直前に生成された動画データをワークメモリ６０に保持し、所定時間間隔で画像記録部８０のＳＤカ−ドに繰り返して記録する処理を開始させる。この繰り返し処理は図６のステップＳ６でモード切替ボタン８が押されたと判定されるまで静止画撮影と並行して行われる（ステップＵ１）。
【００５８】
制御部５０は、その時点で選択されているズーム位置に対応した焦点距離でオートフォーカス（ＡＦ）処理及びオートアイリス（ＡＥ）処理を実行し（ステップＵ２）、ＣＣＤ撮像系ブロック３０、カラープロセス回路４０を得て生成された画像データを間引き処理して画像表示部７０のモニタ画面にスルー表示しながら（ステップＵ３）、シャッターキー９が全押しされたか否かを調べ、シャッターキー９が全押しされた場合はステップＵ５に進み、そうでない場合はステップＵ３に戻ってスルー画像を表示する動作を繰り返す（ステップＵ４）。
【００５９】
シャッターキー９が全押しされた場合は、静止画撮影処理、つまり、シャッターキー９の全押し直前にＣＣＤ撮像系ブロック３０、カラープロセス回路４０を得て生成された画像データをワークメモリ６０に取り込むと共に画像表示部７０に送って静止画表示し（ステップＵ５）、静止画撮影処理が完了するとステップＵ７に進む（ステップＵ６）。
【００６０】
次に、ワークメモリ６０に記憶している１フレーム分の画像データ（静止画像データ）をＪＰＥＧ／ＭＰＥＧ部４５で圧縮処理し、圧縮された静止画像データを画像記録部８０のＳＤカードに記録して図６のステップＳ５（又は図１０のステップＶ５）に戻る（ステップＵ７）。
【００６１】
これにより、ユーザが静止画撮影時に画角や撮影アングルを変えても、動画撮影復帰時に元の画角や撮影アングルに戻るので、違和感のない動画を得ることができる。つまり、完全なアングルの保持及び復帰ができるので、動画撮影を再開する際に静止画撮影時に変えられた動画像の画角やフレーミングを一致させることができる。
【００６２】
＜変形例＞  
本実施形態１では、動画撮影モードから静止画撮影モードに切り替えられたとき切替直前の画角情報を保持し、静止画撮影モードから動画撮影モードに復帰する際にズームレンズ制御により前回の静止画撮影開始前の動画撮影時の画角に復帰するようにすることにより、ユーザが静止画撮影時に画角を変えても動画撮影復帰時に元の画角に戻るようにしたが、画角以外のパラメータを組み合わせるように構成してもよい。
【００６３】
例えば、自動的にパンニング可能な装置（例えば、姿勢制御可能な雲台装置（図示せず））と組み合わせて、動画撮影時の撮影方位（この場合は上下左右の角度）を取得し、動画撮影モードから静止画撮影モードに切り替えられたとき画角だけでなく切替直前の方位も保持しておき、静止画撮影モードから動画撮影モードに復帰する際にズームレンズ制御により前回の静止画撮影開始前の動画撮影時の画角に復帰させると共に保持した方位を用いてパンニング可能な装置を制御し元の動画撮影アングルを再現させたあと、動画撮影を再開・継続するように構成してもよい。  
これにより、ユーザが静止画撮影時に画角や撮影アングルを変えても、動画撮影復帰時に元の画角や撮影アングルに戻るので、違和感のない動画を得ることができる。つまり、完全なアングルの保持及び復帰ができるので、動画撮影を再開する際に静止画撮影時に変えられた動画像の画角やフレーミングを略一致させることができる。
【００６４】
また、撮影アングルだけでなく、他の様々なパラメータ（例えば、色処理パラメータ、輪郭処理パラメータ、画素サイズ（解像度）等の圧縮パラメータ、画像サイズ等）を動画撮影時と静止画撮影時で設定し直すように構成することもできる。
【００６５】
（実施形態２）  
上記実施形態１ではズーム位置を復帰させることにより画角を一定のまま動画撮影を継続し、更に、その変形例ではパンニング装置を付加することで完全な動画撮影アングルの再開・継続を可能としたが、本実施形態ではパンニング装置を用いることなく正確な撮影アングルによりフレーミングを一致させて動画撮影の再開・継続を行う例について述べる。  
本実施形態では、静止画撮影のために動画撮影が一時停止されるときに、その直前の撮影画像（動画像）を記憶しておき、静止画撮影終了後に自動的の元の画角に戻した後、記憶された画像を半透明状態で動画撮影時に表示されるスルー画像に重畳表示してフレーミングの補助を行うようにする。
【００６６】
図９は本実施形態における撮影モードにおけるワークメモリの領域使用状態の説明図であり、図９（ａ）は撮影待機中のワークエリア６０の状態、図９（ｂ）は動画撮影中のワークエリア６０の状態、図９（ｃ）は動画／静止画切替中のワークエリア６０の状態、図９（ｄ）は静止画撮影中のワークエリア６０の状態を示す。
【００６７】
撮影待機中はワークエリア６０には、図９（ａ）に示すように、音声用バッファ６１及びスルー表示用バッファ６２が確保され、音声用バッファ６１には撮影待機中に取り込まれる音声データが記憶され、スルー表示用バッファ６２には撮影待機中に取り込まれる被写体画像データが記憶される。
【００６８】
動画撮影中にワークエリア６０には、図９（ｂ）に示すように、更に、動画用バッファ６３が確保され、音声用バッファ６１には動画撮影中に取り込まれる音声データが記憶され、スルー表示用バッファ６２には動画撮影中に取り込まれる被写体画像データが記憶され、動画用バッファ６３には動画撮影により取り込まれる動画像データが記憶される。
【００６９】
また、動画／静止画切替中には、図９（ｃ）に示すように、音声用バッファ６１、スルー表示用バッファ６２のほか、スルー画像退避エリア６６が確保され、音声用バッファ６１には動画／静止画切替中に取り込まれる音声データが記憶され、スルー表示用バッファ６２には動画／静止画切替中に取り込まれる被写体画像データが記憶され、スルー画像退避エリア６６には最終スルー画像フレーム（モード切替ボタン８の操作直前のスルー画像フレーム（半透明用画像））が記録される。
【００７０】
静止画撮影中にはワークエリア６０には、図９（ｄ）に示すように、音声用バッファ６１及びスルー表示用バッファ６２のほか、静止画用バッファ６３及びスルー画像退避エリア６６が確保され、音声用バッファ６１には静止画撮影中に取り込まれる音声データが記憶され、スルー表示用バッファ６２には静止画撮影中に取り込まれる画像データが記憶され、静止画用バッファ６４には静止画撮影により取り込まれる静止画像データが記憶され、スルー画像退避エリア６６には最終スルー画像フレームが記憶されている。  
なお、一連のどの動作においてもスルー表示は続いているので、スルー表示用バッファ６２は常に使用されている。
【００７１】
図１０は、実施形態２における動画撮影モードと静止画撮影モードの切替動作を示すフローチャートである。以下に示す処理は基本的に制御部５０が予めフラッシュメモリ等のプログ格納メモリに固定記憶したプログラムに従って実行するものである。  
また、本実施形態ではシャッターキー９が２段階のストローク操作で動作し、基本的な動作として、動画撮影モードでは、第１段階のストローク操作、つまり、シャッターキー９の「半押し」状態で動画撮影を開始し、その後の第２段階のストローク操作、つまり、シャッターキー９の「全押し」状態で動画撮影を終了するものとする。  
また、静止画撮影モードではシャッターキー９の「半押し」状態でＡＦ動作を実行して合焦状態と露出状態をロックし、その後の第２段階のストローク操作、つまり、シャッターキー９の「全押し」状態でロックした合焦状態及び露出状態による撮影を行うものとする。
【００７２】
図１０で、動画撮影モードが選択されると、音声系ブロック３５を介して録音が開始されると共に、ＣＣＤ撮像系ブロック３０、カラープロセス回路４０を介して動画データが取り込まれて画像表示部７０にスルー画像表示され、シャッターキー９の半押し操作により動画撮影が開始され被写体画像の動画データ及び録音データが画像記録部８０に記録される（ステップＶ０）。
【００７３】
制御部５０は上記ステップＶ０の動画撮影中にキー情報（つまりキーブロック９０からの状態信号）を取得すると（ステップＶ１）、そのキー情報を調べ、キー情報がズームキーの操作状態を示す場合はステップＶ３に進み、モード切替ボタン８の押し下げを意味する場合はステップＶ４に進み、シャッターキー９の全押しを意味する場合はステップＶ１８に進む（ステップＶ２）。
【００７４】
ズームキーが操作されると、制御部５０はズームレンズ制御を行う。つまり、ズーム位置検出センサ１２からのズームレンズの位置情報とズームキーの操作に対応したズームレンズ移動情報からズームレンズ制御信号を生成してレンズコントロールブロック５５を介してズームモータドライバ２１に送り、ズームモータ１４を駆動させてズームレンズをワイド側又は望遠側に移動させ、ステップＶ１に戻る（ステップＶ３）。
【００７５】
モード切替ボタン８が押されると、制御部５０は、動画撮影（つまり、動画記録部８０へ動画データ及び録音データの記録）を停止し、その直前にズーム位置検出センサ１２から取得したズーム位置情報とスルー画像表示されていた動画データ（半透過用画像）をＲＡＭに保持（一時記憶）してステップＶ５に進む（ステップＶ４）。
【００７６】
制御部５０はモード切替ボタン８の操作後、更にキー情報の取得を待ち、キー情報を取得すると（ステップＶ５）、そのキー情報を調べ、キー情報がズームキーの操作状態を示す場合はステップＶ７に進み、モード切替ボタン８の押し下げを意味する場合はステップＶ８に進み、シャッターキー９の半押しを意味する場合はステップＶ１７に進む（ステップＶ６）。
【００７７】
ズームキーが操作されると、制御部５０は上記ステップＶ３と同様のズームレンズ制御を行い、ズームモータ１４を駆動してズームレンズをワイド側又は望遠側に移動させ、ステップＶ５に戻る（ステップＶ７）。
【００７８】
モード切替ボタン８が押された場合は、上記ステップＶ４でＲＡＭに保持したズーム位置情報を取り出し、そのズーム位置情報を基にズームレンズ制御信号を生成してレンズコントロールブロック５５を介してズームモータドライバ２１に送り、ズームモータ１４を駆動させてズームレンズをワイド側又は望遠側に移動させて、ズームレンズの位置を上記ステップＶ４での動画撮影停止直前の位置に復帰させ（ステップＶ８）、上記ステップＶ４でＲＡＭに保持した画像データから更に画素を間引いた半透過画像７２，７４を生成し、画像表示部７０に送って（図７のステップＴ１で表示される動画スルー画像７１、７３と重畳させて）表示させる（図１１参照）（ステップＶ９）。
【００７９】
更に、上記ステップＶ４で保持した画像データとＣＣＤ撮像系３０から新たに取り込んだ画像データから左右及び上下の角度の差分を演算して撮影アングルの相関度を得て相関度表示データ７５を生成し、画像表示部７０に送って（図１１の例に示すように図７のステップＴ１で表示される動画スルー画像７１，７３及び上記半透過画像７２，７４と重畳させて）表示させる（ステップＶ１０）。
【００８０】
制御部５０は更にキー情報の取得を待ち、キー情報を取得すると（ステップＶ１１）、そのキー情報を調べ、キー情報がズームキーの操作状態を示す場合はステップＶ１３に進み、モード切替ボタン８の押し下げを意味する場合はステップＶ１４に進み、シャッターキー９の半押しを意味する場合はステップＶ１５に進む（ステップＶ１２）。
【００８１】
ズームキーが操作されると、制御部５０は上記ステップＶ３と同様のズームレンズ制御を行い、ズームモータ１４を駆動してズームレンズをワイド側又は望遠側に移動させ、ステップＶ９に戻る（ステップＶ１３）。
【００８２】
モード切替ボタン８が押された場合は、上位ステップＶ９及びＶ１０で生成した半透過画像及び相関度データの画像表示部７０への送出を停止し、モニタ画面上での半透過画像及び相関度データの表示を消去してステップＶ９に戻る（ステップＶ１４）。
【００８３】
シャッターキー９の半押しがあると、上位ステップＶ９及びＶ１０で生成した半透過画像及び相関度データの画像表示部７０への送出を停止し、モニタ画面上での半透過画像及び相関度データの表示を消去し（ステップＶ１５）、動画撮影を再開させ（図７のステップＴ１〜Ｔ４参照）、動画撮影が終了した場合はステップＶ１に戻る（ステップＶ１６）。
【００８４】
また、シャッターキー９の半押しがあると、静止画撮影処理等（図８のステップＵ１〜ステップＵ７参照）を開始させステップＶ５に戻る（ステップＶ１７）。
【００８５】
上記ステップＶ０の動画撮影中にシャッターキー９が全押しされると動画撮影を終了し、図４の例に示したように動画撮影モードで記録した動画データ及び録音データを併せて動画ファイルとして画像記録部８０に記録し直す（ステップＶ１８）。
【００８６】
上記図１０のフローチャートに示す動作により、静止画撮影のために動画撮影が一時停止するときにその直前の画角情報（ズーム位置情報）と共にスルー画像データを記憶しておき、静止画像撮影が終了すると記憶していた画角情報を取り出して画角を再現すると共に記憶したスルー画像データを基に半透過画像を生成し、動画撮影再開後にスルー表示の際にその半透過画像を重畳表示するので、動画撮影停止直前のフレームと略同じ撮影アングルになるようにデジタルカメラ１００を動かして確認し、動画撮影停止直前のフレームと略同じ撮影アングルで動画撮影を開始できる。つまり、スルー画像に半透過画像を重畳表示することにより撮影アングルを動画撮影停止直前の撮影アングルに合わせやすいのでより正確なアングル設定が可能となり、スムースな動画継続が可能となる。  
また、前回の動画撮影時の画像データと動画撮影再開後あらたに取り込まれた画像データとの撮影アングルの相関度データを求め、動画撮影再開後のスルー表示の際に相関度を重畳表示するので、前回の動画撮影のアングルと現在の撮影画像との相関を図１１に示すように数値や図形で確認できることから、動画撮影再開時に、更に正確な撮影アングルの設定が可能になる。
【００８７】
なお、上記ステップＶ４で半透過画像用（及び相関度算出用）に保存する画像はスルー画像でなく、撮像系３０及びカラープロセス回路４０を介してワークメモリ６０に取り込まれた画像データでもよい。
【００８８】
図１１は再開された動画撮影時のスルー画像に重畳表示される半透過画像及び相関度の一実施例を示す図であり、符号７１、７３の実線の像は動画撮影再開後に取り込まれる動画像のスルー画像を示し、符号７２、７４の破線の像は前回のモード切替操作による動画撮影の停止直前に表示されていた動画のスルー画像（１フレーム分）の半透過画像を示す。また、符号７５は動画撮影再開後に取り込まれる動画像のスルー画像と前回の動画像の半透過画像の相関度を表す図形である。  
なお、図１１の例では動画像７１、７３、半透過画像７２、７４は踊っている二人の人物を示し、相関度を示す図形７５は斜線が相関の割合を図示している。また、パーセント表示されている数字「８０％」は相関度である。相関度表示はグラフ等の図形でもよく、単に数値を表示するだけでもよく、図示の例のように図形と数値を併せて表示しするようにしてもよい。
【００８９】
また、上記実施形態１及び実施形態２では、動画撮影モードにおいて、シャッターキー９の「半押し」で動画撮影を開始し、シャッターキー９の「全押し」状態で動画撮影を終了するものとしたが、デジタルカメラ１００に動画撮影開始／終了ボタンを設け、動画撮影モードで動画撮影開始／終了ボタンが押されると動画撮影を開始し、再度動画撮影開始／終了ボタンが押されると動画撮影を終了するようにしてもよい。
【００９０】
また、上記実施形態１及び実施形態２ではデジタルカメラ１００にモード切替のために専用のボタン（モード切替ボタン８）を設けたが、専用のボタンを設けず他のキーと兼用するようにしてもよいし。また、赤外線リモコン等の遠隔撮影指示手段を用いてモードを切り替えるようにしてもよい。
【００９１】
また、上記実施形態１及び実施形態２では静止画撮影から動画撮影へ復帰する際にモード切替操作を行うようにしたがこれに限定されない。例えば、静止画撮影枚数を予め設定可能に構成しておき、設定された数の静止画を撮影したら動画撮影に復帰するようにしてもよい。
【００９２】
また、上記各説明ではデジタルカメラを例としたが、本発明はカメラ付き携帯電話機にも適用可能である。ただし、シャッター操作が１ストロークのカメラ付き携帯電話機を用いる場合は図６〜図８、図１０における「シャッターキー９の半押し」動作及び「シャッターキーの全押し」動作を「シャッターキーの押し下げ」動作と読み替えるものとする。
【００９３】
以上、本発明のいくつかの実施例について説明したが本発明は上記各実施例に限定されるものではなく、種々の変形実施が可能であることはいうまでもない。例えば撮像装置という用語は、デジタルカメラやカメラ付き携帯電話機のほか、撮像部を有する情報機器などにも適用し得るものである。
【図面の簡単な説明】
【００９４】
【図１】デジタルカメラの外観構成の一例を示す図である。
【図２】デジタルカメラの回路構成の一実施例を示すブロック図である。
【図３】録音と録音の並行動作による音声データと画像データの遷移の説明図である。
【図４】画像記録部に記録される動画ファイル及び静止画ファイルの模式図である。
【図５】実施形態１におけるワークメモリの領域使用状態の説明図である。
【図６】実施形態１における動画撮影モードと静止画撮影モードの切替動作を示すフローチャートである。
【図７】図６及びズ１０における動画撮影処理動作を示すフローチャートである。
【図８】図６及びズ１０における静止画撮影動作を示すフローチャートである。
【図９】実施形態２におけるワークメモリの領域使用状態の説明図である。
【図１０】実施形態２における動画撮影モードと静止画撮影モードの切替動作を示すフローチャートである。
【図１１】再開された動画撮影時のスルー画像に重畳表示される半透過画像及び相関度の一実施例を示す図である。
【符号の説明】
【００９５】
８  モード切替ボタン（モード切替手段）
１２  ズーム位置検出センサ（画角再現手段）
１４  ズームモータ（画角再現手段）
２１  ズームモータドライバ（画角再現手段）
５０  制御部（モード切替手段、画角再現手段、半透過画像生成手段、相関度算出手段、表示制御手段）
５５  レンズコントロールブロック（画角再現手段）
７０  画像表示部（表示部）
７２、７４  半透過画像
７５  相関度情報
８０  画像記録部（記録メモリ）
１００  デジタルカメラ（撮像装置）
【図１】
2006101473.tif 000003
【図２】
2006101473.tif 000004
【図３】
2006101473.tif 000005
【図４】
2006101473.tif 000006
【図５】
2006101473.tif 000007
【図６】
2006101473.tif 000008
【図７】
2006101473.tif 000009
【図８】
2006101473.tif 000010
【図９】
2006101473.tif 000011
【図１０】
2006101473.tif 000012
【図１１】
2006101473.tif 000013
【手続補正書】
【提出日】平成17年6月9日(2005.6.9)
【手続補正１】
【補正対象書類名】特許請求の範囲
【補正対象項目名】全文
【補正方法】変更
【補正の内容】
【特許請求の範囲】
【請求項１】
動画を撮影して記録メモリに記録する動画撮影モードを有する撮像装置における撮影方法であって、
動画撮影時の画角情報を保持し、
動画撮影から他の撮影モードによる撮影に切り替えられ、その撮影が終わると、前記保持した画角情報に基いて前記動画撮影時の画角に復帰する、
ことを特徴とする撮影方法。
【請求項２】
動画を撮影して記録メモリに記録する動画撮影モードを有する撮像装置における撮影方法であって、
動画撮影中に他の撮影モードの撮影に切り替えられると撮影切り替え前の動画の画角情報を保持し、
切り替えられた撮影モードの撮影を実行してから更に動画撮影モードに切り替わると、前記保持した画角情報に基いて前記動画撮影時の画角に復帰する、
ことを特徴とする撮影方法。
【請求項３】
動画を撮影して記録メモリに記録する動画撮影モードと静止画を撮影して記録メモリに記録する静止画撮影モードを有する撮像装置における撮影方法であって、
動画撮影中に静止画撮影に切り替えられると撮影モード切り替え前の動画の画角情報を保持し、
前記静止画撮影から動画撮影に切り替わると、前記保持した画角情報に基いて前記動画撮影時の画角に復帰する、
ことを特徴とする撮影方法。
【請求項４】
動画を撮影して記録メモリに記録する動画撮影モードと、静止画を撮影して記録メモリに記録する静止画撮影モードを有する撮像装置における撮影方法であって、
動画撮影中に静止画撮影に切り替えられると撮影モード切り替え前の動画の画角情報及び撮影用パラメータを保持し、
前記静止画撮影から動画撮影に切り替わると前記保持した画角情報に基いて前記動画撮影時の画角に復帰すると共に前記保持した撮影用パラメータに基いて前記動画撮影時の撮像装置の撮影状態に戻る、
ことを特徴とする撮影方法。
【請求項５】
前記撮影切り替え前の画角情報は前記動画撮影中に撮影モードが切り替えられる直前の画角情報であることを特徴とする請求項１乃至４のいずれか１項に記載の撮影方法。
【請求項６】
動画を撮影して記録メモリに記録する動画撮影モードを有し、被写体像を取り込んでその画像データを生成する撮像部と、生成された画像データを表示する表示部と、画像データを記録する記録メモリと、を備えた撮像装置であって、
撮影モードを切り替えるモード切り替え手段と、
動画撮影中に前記モード切り替え手段によって他のモードの撮影に切り替えられると、撮影モード切り替え前の動画の画角情報を保持する画角情報保持手段と、
前記モード切り替え手段によって前記他のモードの撮影から動画撮影に切り替えられると、前記画角情報保持手段が保持している画角情報に基いて前記動画撮影時の画角に復帰する画角復帰手段と、
を備えたことを特徴とする撮像装置。
【請求項７】
前記画角情報保持手段は前記動画撮影から他の撮影モードへの撮影切り替え直前の画角情報を保持し、前記画角復帰手段は該画角情報に基いて前記撮影切り替え直前の画角に復帰する、ことを特徴とする請求項６記載の撮像装置。
【請求項８】
前記モード切り替え手段によって動画撮影から他の撮影への切り替えが行われると動画撮影を停止する動画撮影停止手段を備え、前記画角情報保持手段は前記動画撮影停止手段による動画撮影停止直前の画角情報を保持し、前記画角復帰手段は、前記画角情報保持手段が保持している画角情報に基いて前記動画撮影停止直前の画角に復帰する、ことを特徴とする請求項６記載の撮像装置。
【請求項９】
前記他の撮影は静止画撮影であることを特徴とする、請求項６乃至８のいずれか１項に記載の撮像装置。
【請求項１０】
請求項１乃至５のいずれか１項に記載の撮影方法を撮像装置のコンピュータに実行させることを特徴とするプログラム。
【手続補正２】
【補正対象書類名】明細書
【補正対象項目名】全文
【補正方法】変更
【補正の内容】
【発明の詳細な説明】
【技術分野】
【０００１】
本発明は、デジタルカメラ等の撮像装置で動画を撮影している途中に静止画撮影を行ったあと、動画撮影を再開する際に静止画撮影で変った動画像の画角やフレーミングを静止画像撮影前の動画撮影時の画角と一致させる得る撮影技術に関する。
【背景技術】
【０００２】
デジタルカメラ等の撮像装置において、通常の静止画撮影機能に加え動画撮影機能を備えたものや、さらに静止画像や動画像と音声とを同時に録音する音声録音機能を備えたものがある。
【０００３】
このようなデジタルカメラでは、通常、撮影モードとして静止画撮影を行う静止画撮影モードと、動画撮影を行う動画撮影モードを設け、キー操作等のユーザ操作によってモード遷移を行う仕様になっている。
【０００４】
また、デジタルカメラにおいて、動画撮影中に静止画撮影を行ないたい場合があるが、従来技術として、動画撮影中に静止画の撮影操作に応じて動画フレーム撮影周期で動画フレームを撮像してバッファメモリに記憶する操作を行ないながら、次の動画フレームを記録する間に静止画を撮像して記録する技術、つまり、動画撮影処理と静止画撮影処理とを平行して行うものがある（例えば、特許文献１参照）。  
また、動画撮影中に静止画の撮影操作があったとき、動画フレームの撮影及び記憶動作をいったん中断し、その間に静止画を撮像して記録した後、動画フレームの撮像及び記録を再開する技術、つまり、静止画撮影中に記録できなかった中断期間の動画フレームに対応する補間用のフレームを別途生成して記憶しておき、動画再生時には、中断期間に補間用のフレームを表示させることにより、結果として動画撮影中の静止画撮影を可能とするものがある（例えば、特許文献２参照）。
【特許文献１】特開平１１−５５６１７号公報
【特許文献２】特開２００１−１１１９３４号公報
【発明の開示】
【発明が解決しようとする課題】
【０００５】
しかしながら、動画撮影中に静止画撮影を行う場合に、静止画の画角やフレーミングを変えて撮影したくなる場合が多い。このような場合に、静止画撮影前に実行されていた動画撮影処理で得た動画の画角やフレーミングと、静止画撮影後に再開された動画撮影時の画角やフレーミングが異なることが多いが、ユーザがカメラの画角やフレーミングを変えて静止画撮影前に実行されていた動画撮影時の画角やフレーミングを再現することが困難であるため、記録された動画の画角やフレーミングにずれが生じ、動画再生時に静止画撮影前の動画と静止画撮影直後の動画との間で違和感を感ずるといった課題があった。また、このような課題は上述した特許文献１、特許文献２に開示の技術では解決できなかった。
【０００６】
本発明は、上記課題を解決するためになされたものであり、動画を撮影している途中に静止画撮影を行ったあと、動画撮影を再開する際に静止画撮影時に変えられた動画像の画角に復帰させ得る撮影方法、撮像装置、及びプログラムの提供を目的とする。
【課題を解決するための手段】
【０００７】
上記課題を解決するために、請求項１に記載の発明では、動画を撮影して記録メモリに記録する動画撮影モードを有する撮像装置における撮影方法であって、動画撮影時の画角情報を保持し、動画撮影から他の撮影モードによる撮影に切り替えられた後、その撮影が終わると、保持した画角情報に基いて動画撮影時の画角に復帰する、ことを特徴とする撮影方法を提供する。
これにより、動画撮影から切り替えられた他の撮影モードによる撮影が終わると動画撮影時に保持（記憶）してあった画角情報を用いて自動的に元の画角に復帰するので、他の撮影モードによる撮影で画角が変えられても切り替え前の動画撮影時の動画と他の撮影モードの撮影終了後に撮影される動画の画角が同じため動画間で違和感を生じない。
【０００８】
また、請求項２に記載の発明では、動画を撮影して記録メモリに記録する動画撮影モードを有する撮像装置における撮影方法であって、動画撮影中に他の撮影モードの撮影に切り替えられると撮影切り替え前の動画の画角情報を保持し、切り替えられた撮影モードの撮影を実行してから更に動画撮影モードに切り替わると、保持した画角情報に基いて動画撮影時の画角に復帰する、ことを特徴とする撮影方法を提供する。  
これにより、他の撮影モードから動画撮影に復帰したときに、動画撮影から他の撮影に切り替えられたとき保持（記憶）した画角情報を用いて自動的に元の画角に戻すので、他の撮影モードによる撮影で画角が変えられても動画撮影に復帰したとき撮影される動画と撮影モード切り替え時の動画が同じため違和感を生じない。
【０００９】
また、請求項３に記載の発明では、動画を撮影して記録メモリに記録する動画撮影モードと静止画を撮影して記録メモリに記録する静止画撮影モードを有する撮像装置における撮影方法であって、動画撮影中に静止画撮影に切り替えられると撮影モード切り替え前の動画の画角情報を保持し、静止画撮影から動画撮影に切り替わると、保持した画角情報に基いて動画撮影時の画角に復帰する、ことを特徴とする撮影方法を提供する。  
これにより、静止画撮影から動画撮影に復帰したときに、動画撮影から静止画撮影に切り替えられたとき保持（記憶）した画角情報を用いて自動的に元の画角に戻すので、静止画撮影時に画角が変えられても動画撮影に復帰したとき撮影される動画と静止画撮影に切り替え前の動画との間で違和感を生じない。
【００１０】
また、請求項４に記載の発明では、動画を撮影して記録メモリに記録する動画撮影モードと、静止画を撮影して記録メモリに記録する静止画撮影モードを有する撮像装置における撮影方法であって、動画撮影中に静止画撮影に切り替えられると撮影モード切り替え前の動画の画角情報及び撮影用パラメータを保持し、静止画撮影から動画撮影に切り替わると保持した画角情報に基いて動画撮影時の画角に復帰すると共に保持した撮影用パラメータに基いて動画撮影時の撮像装置の撮影状態に戻すことを特徴とする撮影方法を提供する。
これにより、静止画撮影から動画撮影に復帰したときに、動画撮影から静止画撮影に切り替えられたとき保持（記憶）した画角情報を用いて自動的に元の画角に戻すので、静止画撮影時に画角が変えられても動画撮影に復帰したとき撮影される動画と静止画撮影に切り替え前の動画との間で画角に違和感を生じない。また、静止画撮影時に色処理、輪郭処理、圧縮立等の撮影パラメータが変わっても、動画撮影復帰時に元の撮影パラメータに戻るので、全体として違和感のない動画を得ることができる。
【００１１】
また、請求項５に記載の発明では、撮影モード切り替え前の画角情報は動画撮影中に撮影モードが切り替えられる直前の画角情報であることを特徴とする請求項１乃至４のいずれか１項に記載の撮影方法を提供する。
これにより、動画撮影中に撮影モードが切り替えられる直前の画角情報を保持（記憶）しておき、動画撮影に復帰したとき保持していた画角情報を用いて自動的に元の画角に戻すので、動画撮影停止直前の動画と静止画撮影終了直後に撮影された動画との間で違和感を生じない。
【００１２】
また、請求項６に記載の発明では、動画を撮影して記録メモリに記録する動画撮影モードを有し、被写体像を取り込んでその画像データを生成する撮像部と、生成された画像データを表示する表示部と、画像データを記録する記録メモリと、を備えた撮像装置であって、撮影モードを切り替えるモード切り替え手段と、動画撮影中にモード切り替え手段によって他のモードの撮影に切り替えられると、撮影モード切り替え前の動画の画角情報を保持する画角情報保持手段と、モード切り替え手段によって他のモードの撮影から動画撮影に切り替えられると、画角情報保持手段が保持している画角情報に基いて動画撮影時の画角に復帰する画角復帰手段と、を備えたことを特徴とする撮像装置を提供する。
これにより、他の撮影モードから動画撮影に復帰したときに、動画撮影から他の撮影モードに切り替えられたとき保持（記憶）した画角情報を用いて自動的に元の画角に戻すので、他の撮影モードによる撮影で画角が変えられても、動画撮影に復帰したとき撮影される動画と撮影モード切り替え時の動画との間で画角が同じとなり動画に違和感を生じない。
【００１３】
また、請求項７に記載の発明では、画角情報保持手段は動画撮影から他の撮影モードへの撮影切り替え直前の画角情報を保持し、画角復帰手段は該画角情報に基いて撮影切り替え直前の画角に復帰する、ことを特徴とする請求項６記載の撮像装置を提供する。  
これにより、動画撮影中に撮影モードが切り替えられる直前の画角情報を保持（記憶）しておき、動画撮影に復帰したとき保持していた画角情報を用いて自動的に元の画角に戻すので、他の撮影モードによる撮影で画角が変えられても、動画撮影から静止画撮影に切り替えられる直前の動画と静止画撮影終了直後に撮影される動画との間で違和感を生じない。
【００１４】
また、請求項８に記載の発明では、モード切り替え手段によって動画撮影から他の撮影への切り替えが行われると動画撮影を停止する動画撮影停止手段を備え、画角情報保持手段は動画撮影停止手段による動画撮影停止直前の画角情報を保持し、画角復帰手段は、画角情報保持手段が保持している画角情報に基いて動画撮影停止直前の画角に復帰する、ことを特徴とする請求項６記載の撮像装置を提供する。
これにより、動画撮影中に撮影モードが切り替えられると動画撮影を停止するが、動画撮影停止直前の画角情報を保持（記憶）しておくので、動画撮影に復帰したとき保持していた画角情報を用いて自動的に元の画角に戻すことができ、動画撮影停止直前の動画と静止画撮影終了直後に撮影される動画との間で違和感を生じない。
【００１５】
また、請求項９に記載の発明では、他の撮影モードは静止画撮影モードであることを特徴とする、請求項６乃至８のいずれか１項に記載の撮像装置を提供する。  
これにより、動画撮影停止直前の画角情報を保持（記憶）しておくので、動画撮影時に画角が変えられても、動画撮影に復帰したとき保持していた画角情報を用いて自動的に元の画角に戻すことができ、動画撮影停止直前の動画と静止画撮影終了直後に撮影される動画との間で違和感を生じない。
【００１６】
また、請求項１０に記載の発明では、請求項１乃至５のいずれか１項に記載の撮影方法を撮像装置のコンピュータに実行させることを特徴とするプログラムを提供する。  
これにより、撮像装置は、動画撮影時に画角情報を保持（記憶）し、動画撮影から切り替えられた他の撮影モードによる撮影が終わると動画撮影時に保持してあった画角情報を用いて自動的に元の画角に復帰できる。
【発明の効果】
【００１７】
本発明によれば、動画撮影から切り替えられた他の撮影モードによる撮影が終わると動画撮影時に保持（記憶）してあった画角情報を用いて自動的に元の画角に復帰するので、他の撮影モードによる撮影で画角が変えられても切り替え前の動画撮影時の動画と他の撮影モードの撮影終了後に撮影される動画の画角が同じため動画間で違和感を生じない。  
また、画角情報と共に撮影用パラメータを保持するようにして、動画撮影から切り替えられた他の撮影モードによる撮影が終わると動画撮影時に保持（記憶）してあった画角情報を用いて自動的に元の画角に復帰すると共に撮像装置の撮影状態を元に戻し、全体として違和感のない動画を得ることができる。
【発明を実施するための最良の形態】
【００１８】
図１は、デジタルカメラの外観構成の一例を示す図であり、ここでは主として前面及び上面の構成を示す。
デジタルカメラ１００は略矩形の薄板状金属外装ボディの前面に、撮影レンズ２、マイクロフォン部５、及びストロボ発光部６を配設し、上面の（ユーザにとって）右側には電源キー７、モード切り替えボタン８、及びシャッターキー９を配している。
【００１９】
撮影レンズ２は、焦点距離を無段階に可変するズーム機能及びＡＦ機能を有し、電源オフ時及び基本モードである再生時にはボディ内に沈胴する。マイクロフォン部５は撮影中に音声を入力して電気信号（アナログ音声信号）に変換する。
電源キー７は、電源のオン／オフ毎に操作するキーであり、モード切り替えボタン８は動画撮影モードと静止画撮影モードをワンタッチで切り替えるボタンであり、動画撮影中にモード切り替えボタン８を押すと静止画撮影モードになり、静止画撮影中にモード切り替えボタン８を押すと動画撮影モードとなる。シャッターキー９は撮影モード時に撮影タイミングを指示する撮影指示手段である。
【００２０】
また、ここでは図示しないが、デジタルカメラ１００の背面には各種処理モードを選択するためのモードスイッチ、メニューキー、十字キー、スピーカ、ストロボチャージランプ、及び画像表示部等を配している。さらに、底面には、記録媒体として用いるメモリーカードを着脱するためのメモリーカードスロットや、外部のパーソナルコンピュータ等と接続するためのシリアルインターフェイスコネクタとして、例えばＵＳＢ（Universal Serial Bus）コネクタ等が設けられているものとする。
【００２１】
図２は、デジタルカメラの回路構成の一実施例を示すブロック図である。このデジタルカメラ１００は、ズーム機能とオートフォーカス（ＡＦ）機能とを備えたものであって、それを実現するためのレンズブロック１０を有している。  
レンズブロック１０には、光軸方向に移動可能に配置されたズームレンズ及びフォーカスレンズからなる沈胴式のレンズ群１１と、このレンズ群１１におけるズーム位置用及びフォーカス位置用の位置検出センサ１２、１３とズームレンズを移動するズームモータ１４及びフォーカスレンズを移動するフォーカスモータ１５と、図示しない絞りを開閉する絞り用アクチュエータ１６と、メカニカルシャッターを開閉するシャッター用アクチュエータ１７とが設けられている。また、上記の各モータ及びアクチュエータ１４〜１７は、モータードライバーブロック２０に設けられたズーム用（ＺＯＯＭ）、フォーカス用（Ｆｏｃｕｓ）、絞り用（Ｉｒｉｓ）、シャッター用（Ｓｈｕｔｔｅｒ）の各ドライバー２１〜２４によって駆動される。また、本発明の各実施形態においては、ズームモータ１４とズーム用ドライバー２１、フォーカスモータ１５とフォーカス用ドライバー２２はそれぞれ本発明のレンズ駆動手段に相当する。
【００２２】
上記位置検出センサ１２、１３、及びモータードライバーブロック２０の各ドライバー２１〜２４はレンズコントロールブロック５５からの制御信号によって動作し、センサー出力及びモータ回転数等の情報をレンズコントロールブロック５５を介して制御部（ＣＰＵ／ＡＳＩＣ（Application Specific Integrated Circuit））５０に送出する。
【００２３】
また、デジタルカメラ１００は、主としてレンズ群１１の撮影光軸後方に配置された撮像素子であるＣＣＤ３１と、ＣＤＳ（Correlated Double Sampling）／ＡＤブロック３２、ＴＧ（Timing Generator；タイミングジェネレータ）３３とからなるＣＣＤ撮像系ブロック３０を有している。  ＣＣＤ３１は、デジタルカメラが記録モードに設定されているとき、レンズ群１１によって結像された被写体の光学像を光電変換すると共に、ＴＧ３３によって走査駆動され一定周期毎に光電変換出力を１画面分出力する。ＣＤＳ／ＡＤブロック３２は、ＣＣＤ３１から出力された後、ＲＧＢの色成分毎に適宜ゲイン調整されたアナログの出力信号に対する相関二重サンプリングによるノイズ除去、及びデジタル信号への変換を行ない、カラープロセス回路４０に出力する。なお、ＣＣＤは撮像素子の一種であってＣＭＯＳなど他の素子でもよい。
【００２４】
音声系ブロック３５は、図３に示すように、音声を入力してアナログ音声信号に変換するマイクロフォン（ＭＩＣ）３６、及びアナログ音声信号をデジタル音声信号に変換して制御部５０に送出するＡ／Ｄ変換器（ＡＤＣ）３７等からなる音声入力系と、デジタル音声信号をアナログ音声信号に変換するＤ／Ａ変換器（ＤＡＣ）３８、及び制御部５０から受け取ったアナログ音声信号を変換して音声を再生し増幅して外部に出力するスピーカ（Ｓｐｅａｋｅｒ）３８等からなる音声出力系とを備えている。  
また、図３、図４に示すように、音声の録音と撮影動作は並行して行われ、動画撮影モードが一時停止されて静止画撮影モードに切り替えられても録音動作は継続され、動画撮影が再開されたあとも続行される。入力音声はマイクロフォン３６、Ａ／Ｄ変換器３７を介して制御部５０に送出された音声信号はワークメモリ６０に取り込まれ、記録時に、音声圧縮処理を施された後、圧縮された動画像ファイルと共に動画ファイル（動画データ＋音声データ）として画像記録部８０に着脱自在に装着される記録媒体（例えば、ＳＤカード）に記録保存される。
【００２５】
カラープロセス回路４０は、入力した撮像信号に対し画素補間処理を行うカラープロセス処理を施し、デジタル値の輝度信号（Ｙ）及び色差信号（Ｃｂ、Ｃr)を生成して本発明の制御手段であってデジタルカメラ１００全体を制御する制御部５０へ出力する。
【００２６】
ＪＰＥＧ／ＭＰＥＧ部４５は静止画撮影モードでは、記録時に、ワークメモリ６０に取り込まれている静止画像データをＡＤＣＴ（Adaptive Discrete Cosine Transform：適応離散コサイン変換）、エントロピ符号化方式であるハフマン符号化等の処理によりデータ圧縮する。そして得た符号データを１画像のデータファイルとしてＪＰＥＧ／ＭＰＥＧ回路２７から読出し、画像記録部８０のＳＤカードに記録保存する。  
また、動画画撮影モードでは、記録時に、ワークメモリ６０に取り込まれている一連の動画像データをＭＰＥＧ（Moving Picture  Experts Group）方式等によりデータ圧縮する。そして得た符号データを１画像のデータファイルとしてＪＰＥＧ／ＭＰＥＧ回路２７から読出し、画像記録部８０のＳＤカードに記録保存する。
【００２７】
上記ＪＰＥＧ／ＭＰＥＧ部４５は複数の圧縮率に対応しており、圧縮率に対応させて記憶するモードは圧縮率の低い高解像度（一般に、高精密、ファイン、ノーマルなどと呼ばれる）に対応するモードと圧縮率の高い低解像度（一般にエコノミーなどと呼ばれる）モードがある。  
また、高画素数から低画素数にも対応している。例えば、ＳＸＧＡ（１６００×１２００）、ＸＧＡ（１０２４×７８６）、ＳＶＧＡ（８００×６００）、ＶＧＡ（６４０×４８０）等と呼ばれる画素サイズがある。
【００２８】
制御部５０は、実際にはＲＡＭやフラッシュメモリ等の内部メモリや各種の演算処理回路、データの入出力インターフェイス等を備えたマイクロプロセッサーであり、制御部５０に送られたデジタル信号（画像信号）はＤＲＡＭ等のワークメモリ６０に一時保存されると共に画像表示部７０に送られる。そして１フレーム分の輝度及び色差信号の圧縮処理及び画像記録部８０の記録媒体（例えば、ＳＤカード）への全圧縮データの書込み終了に伴って、制御部５０はＣＣＤ３１からワークメモリ６０への経路を再び起動する
【００２９】
また、制御部５０は、フラッシュメモリ等の書き換え可能なメモリに記憶されている各種のレンズ動作制御プログラムや、キーブロック９０からの操作信号等に基づき、レンズコントロールブロック５５に対して、前述したモータドライバーブロック２０の各種ドライバー２１〜２４に送る駆動信号を生成させ、それによりズームレンズやフォーカスレンズの位置制御、絞りの開度、メカニカル開閉動作を制御する。その際、制御部５０には、レンズコントロールブロック５５を介して、ズーム位置用及びフォーカス位置用の位置検出センサ１２、１３によって検出したズームレンズやフォーカスレンズのレンズの位置情報が逐次入力する。
【００３０】
画像表示部７０は、ビデオエンコーダ、ＶＲＡＭコントローラ、ＶＲＡＭ、液晶モニタ及びその駆動回路を含み、送られたデジタル信号に基づくビデオ信号をビデオエンコーダによって生成し、それに基づく表示画像、すなわちＣＣＤ３１に撮像された被写体のスルー画像やメニューデータ等、を液晶モニタに表示する。
【００３１】
また、画像表示部７０はモニタ表示部（電子ファインダ）として機能するもので、ビデオエンコーダからのビデオ信号に基づいた表示を行うことで、その時点でＶＲＡＭコントローラから取込んでいる画像情報に基づく画像をリアルタイムに表示することになる。  
このように画像表示部７０にその時点での画像がモニタ画像としてリアルタイムに表示されているいわゆるスルー画像の表示状態で、上記シャッターキー９を操作するとトリガ信号を発生する。
【００３２】
制御部５０はこのトリガ信号に応じてその時点でＣＣＤ３１から取込んでいる１画面分の輝度及び色差信号のワークメモリ６０へのＤＭＡ転送の終了後、直ちにＣＣＤ３１からのワークメモリ６０への経路を停止し、記録保存の状態に遷移する。  
画像記録部８０は、具体的にはカードインターフェイス、及びそれを介して制御部５０に接続され、かつカメラ本体に着脱自在に装着される不揮発性の各種メモリカード（例えば、ＳＤカード）から構成される。画像記録部８０に記録された画像データは、再生モードにおいて制御部５０に読み出され、ＪＰＥＧ／ＭＰＥＧ部４５によって伸張された後、画像表示部７０へ送られ、液晶モニタに表示される。
【００３３】
キーブロック９０は、上述した電源キー７、モード切り替えキー８、シャッターキー９、メニューキー、ズームキー等の各種キーと、それらの入力を受け付け、それに応じた操作信号を制御部５０に送るサブＣＰＵ／ＡＳＩＣ（図示せず）とから構成されている。なお、サブＣＰＵ／ＡＳＩＣは、必要に応じモード切り替えボタンの状態を示す状態信号（以下、キー情報）を制御部５０に送る。
【００３４】
図３は、録音と録音の並行動作による音声データと画像データの遷移の説明図である。音声系ブロック３５でデジタルの音声信号に変換された音声データは音声圧縮処理部４８で圧縮処理されて動画撮影開始から終了まで継続して録音（つまり、画像記録部８０のＳＤカードに記録）される。  
一方、ＣＣＤ撮像系ブロック３０、カラープロセス回路４０を得て生成されたデジタル画像データはＪＰＥＧ／ＭＰＥＧ部４５で圧縮処理され、動画撮影モードでは継続して記録されるが、モード切り替えボタン８が押されて静止画撮影モードになった場合にはシャッターキー９を全押しした後の静止画像のみを取り込み、動画とは別の静止画像ファイルとして記録する。また、静止画撮影モード中は、動画データとしてモード切り替えボタン８の押下げ直前に取り込まれた画像データを繰り返し動画データとして使用して記録する（このようにすることにより、前回データと同じということでメモリ容量が少なくて済む）。次に、もう一度モード切り替えボタン８が押されると動画撮影が開始され、新しい動画信号の記録が開始される。また、上記音声データは記録される動画データに時系列的に対応づけられて記録（録音）される。
【００３５】
図４は、画像記録部８０に記録される動画ファイル及び静止画ファイルの模式図である。動画ファイル１４０はファイルサイズ、フレーム数、音声データサイズなどの情報を含むヘッダ部１４１と、音声や画像の実データを含むデータ部１４２、及びランダムアクセスを容易にするためのインデックス部１４３からなる。データ部１４２において、静止画撮影モード中は、音声のみ取り込む。動画像はモード切り替えボタン８の押し下げ直前に取り込まれた動画データを繰り返し記録する。また、この間に撮影された静止画データは静止画ファイル１４５として記録される。
【００３６】
（実施形態１）  
本実施形態では、静止画撮影のために動画撮影が一時停止されるときに、そのときの画角情報（例えばズーム位置）を記憶しておき、静止画撮影終了後に記憶しておいた画角情報を用いて自動的に元の画角に戻すようにする例について説明する。
図５は本実施形態における撮影モードにおけるワークメモリの領域使用状態の説明図であり、図５（ａ）は撮影待機中のワークエリア６０の状態、図５（ｂ）は動画撮影中のワークエリア６０の状態、図５（ｃ）は動画／静止画切り替え中のワークエリア６０の状態、図５（ｄ）は静止画撮影中のワークエリア６０の状態を示す。
【００３７】
撮影待機中とはデジタルカメラ１００を起動した直後でのスルー表示状態をいい、撮影待機中はワークエリア６０には、図５（ａ）に示すように、音声用バッファ６１及びスルー表示用バッファ６２が確保され、音声用バッファ６１には撮影待機中に取り込まれる音声データが記憶され、スルー表示用バッファ６２には撮影待機中に取り込まれる画像データが記憶される。
【００３８】
動画撮影中にはワークエリア６０には、図５（ｂ）に示すように、更に、動画用バッファ６３が確保され、音声用バッファ６１には動画撮影中に取り込まれる音声データが記憶され、スルー表示用バッファ６２には動画撮影中に取り込まれる画像データが記憶され、動画用バッファ６３には動画撮影により取り込まれる動画像データが記憶される。
【００３９】
また、動画／静止画切り替え中には、図５（ｃ）に示すように、音声用バッファ６１及びスルー表示用バッファ６２が使用され、音声用バッファ６１には動画／静止画切り替え中に取り込まれる音声データが記憶され、スルー表示用バッファ６２には動画／静止画切り替え中に取り込まれる被写体画像データが記憶される。
【００４０】
静止画撮影中にはワークエリア６０には、図５（ｄ）に示すように、音声用バッファ６１及びスルー表示用バッファ６２のほか、静止画用バッファ６４が確保され、音声用バッファ６１には静止画撮影中に取り込まれる音声データが記憶され、スルー表示用バッファ６２には静止画撮影中に取り込まれる被写体画像データが記憶され、静止画用バッファ６３には静止画撮影により取り込まれる静止画像データが記憶される。また、符号６５はあき領域を示す。  
なお、一連のどの動作においてもスルー表示は続いているので、スルー表示用バッファ６２は常に使用されている。
【００４１】
図６は、実施形態１における動画撮影モードと静止画撮影モードの切り替え動作を示すフローチャートである。以下に示す処理は基本的に制御部５０が予めフラッシュメモリ等のプログ格納メモリに固定記憶したプログラムに従って実行するものである。  
また、本実施形態ではシャッターキー９が２段階のストローク操作で動作し、基本的な動作として、動画撮影モードでは、第１段階のストローク操作、つまり、シャッターキー９の「半押し」状態で動画撮影を開始し、その後の第２段階のストローク操作、つまり、シャッターキー９の「全押し」状態で動画撮影を終了するものとする。  
また、静止画撮影モードではシャッターキー９の「半押し」状態でＡＦ動作を実行して合焦状態と露出状態をロックし、その後の第２段階のストローク操作、つまり、シャッターキー９の「全押し」状態でロックした合焦状態及び露出状態による撮影を行うものとする。
【００４２】
図６で、動画撮影モードが選択されると、音声系ブロック３５を介して録音が開始されると共に、ＣＣＤ撮像系ブロック３０、カラープロセス回路４０を介して画像データが取り込まれて画像表示部７０にスルー画像表示され、シャッターキー９の半押し操作により動画撮影が開始され動画データ及び録音データが画像記録部８０に記録される（ステップＳ０）。
【００４３】
制御部５０は上記ステップＳ０の動画撮影中にキー情報（つまりキーブロック９０からの状態信号）を取得すると（ステップＳ１）、そのキー情報を調べ、キー情報がズームキーの操作状態を示す場合はステップＳ３に進み、モード切り替えボタン８の押し下げを意味する場合はステップＳ４に進み、シャッターキー９の全押しを意味する場合はステップＳ１２に進む（ステップＳ２）。
【００４４】
ズームキーが操作されると、制御部５０はズームレンズ制御を行う。つまり、ズーム位置検出センサ１２からのズームレンズの位置情報とズームキーの操作に対応したズームレンズ移動情報からズームレンズ制御信号を生成してレンズコントロールブロック５５を介してズームモータドライバ２１に送り、ズームモータ１４を駆動させてズームレンズをワイド側又は望遠側に移動させ、ステップＳ１に戻る（ステップＳ３）。
【００４５】
モード切り替えボタン８が押されると、制御部５０は、動画撮影（つまり、動画記録部８０への動画データの記録）を停止し、その直前にズーム位置検出センサ１２から取得したズーム位置情報（＝画角情報）をＲＡＭに保持（一時記憶）してステップＳ５に進む（ステップＳ４）。
【００４６】
制御部５０は更にキー情報の取得を待ち、キー情報を取得すると（ステップＳ５）、そのキー情報を調べ、キー情報がズームキーの操作状態を示す場合はステップＳ７に進み、モード切り替えボタン８の押し下げを意味する場合はステップＳ８に進み、シャッターキー９の半押しを意味する場合はステップＳ１０に進む（ステップＳ５）。
【００４７】
ズームキーが操作されると、制御部５０は上記ステップＳ３と同様のズームレンズ制御を行ない、ズームモータ１４を駆動してズームレンズをワイド側又は望遠側に移動させ、ステップＳ５に戻る（ステップＳ７）。
【００４８】
モード切り替えボタン８が押された場合は、上位ステップＳ４でＲＡＭに保持したズーム位置情報を取り出し、そのズーム位置情報を基にズームレンズ制御信号を生成してレンズコントロールブロック５５を介してズームモータドライバ２１に送り、ズームモータ１４を駆動させてズームレンズをワイド側又は望遠側に移動させて、ズームレンズの位置を上記ステップＳ４での動画撮影停止直前の位置に復帰させ（ステップＳ８）、動画撮影を再開させて（図７のステップＴ１〜Ｔ４参照）、動画撮影が終わるとステップＳ１に戻る（ステップＳ９）。
【００４９】
シャッターキー９の半押しがあると、静止画撮影処理等（図８のステップＵ１〜ステップＵ７参照）を開始させ、静止画撮影が終わるとステップＳ５に戻る（ステップＳ１０）。
【００５０】
上記ステップＳ０又はステップＳ９の動画撮影中にシャッターキー９が全押しされると動画撮影を終了し、図４の例に示したように動画撮影モードで記録した動画データ及び録音データを併せて動画ファイルとして画像記録部８０に記録し直す（ステップＳ１１）。
【００５１】
上記図６のフローチャートに示した動作により、静止画撮影のために動画撮影が一時停止するときにその直前の画角情報（ズーム位置情報）を記憶しておき、静止画撮影終了後に記録してあったその画角情報を用いることにより自動的に元の画角に戻すことができるので、記録した動画ファイルを再生したときに画角が一致することから静止画像撮影中の動画は止まっているものの、静止画撮影前の動画と静止画撮影直後に撮影された動画との間で違和感を生じない。
【００５２】
図７は、図６のステップＳ９（又は図１０のステップＶ１６）における動画撮影処理動作を示すフローチャートである。  
図６のステップＳ６、Ｓ８（又は図１０のステップＶ１２、Ｖ１５）を経て、制御部５０は、図３に示したように、ＣＣＤ撮像系ブロック３０、カラープロセス回路４０を得て生成された動画データを間引き処理して画像表示部７０のモニタ画面にスルー表示する（ステップＴ１）。  
【００５３】
次に、制御部５０はキーブロック９０からのキー情報を調べ、シャッターキー９の半押しを意味するキー情報を受け取った場合にはステップＴ３に進み、シャッターキー９の半押し以外のキー操作があった場合又は所定時間を経過してもキーが操作されない場合は図６のステップＳ１に戻る（ステップＴ２）。
【００５４】
シャッターキー９が半押しされた場合は、音声系ブロック３５を介して録音を行うと共に、ＣＣＤ撮像系ブロック３０、カラープロセス回路４０を介して画像データを取り込んで動画撮影を行ない（ステップＴ３）、音声データを音声圧縮処理部４８で圧縮すると共に、動画データをＪＰＥＧ／ＭＰＥＧ部４５で圧縮処理し、圧縮された音声データ及び動画データを対応付けて画像記録部８０のＳＤカードに記録し、ステップＴ１に戻る（ステップＴ４）。
【００５５】
図８は、図６のステップＳ１０（又は図１０のステップＶ１７）における静止画撮影処理動作を示すフローチャートである。  
図６のステップＳ６（又は図１０のＶ６）でキー情報がシャッターキー９の半押しを意味する場合は、シャッターキー９の半押し直前に生成された動画データをワークメモリ６０に保持し、所定時間間隔で画像記録部８０のＳＤカ−ドに繰り返して記録する処理を開始させる。この繰り返し処理は図６のステップＳ６でモード切り替えボタン８が押されたと判定されるまで静止画撮影と並行して行われる（ステップＵ１）。
【００５６】
制御部５０は、その時点で選択されているズーム位置に対応した焦点距離でオートフォーカス（ＡＦ）処理及びオートアイリス（ＡＥ）処理を実行し（ステップＵ２）、ＣＣＤ撮像系ブロック３０、カラープロセス回路４０を得て生成された画像データを間引き処理して画像表示部７０のモニタ画面にスルー表示しながら（ステップＵ３）、シャッターキー９が全押しされたか否かを調べ、シャッターキー９が全押しされた場合はステップＵ５に進み、そうでない場合はステップＵ３に戻ってスルー画像を表示する動作を繰り返す（ステップＵ４）。
【００５７】
シャッターキー９が全押しされた場合は、静止画撮影処理、つまり、シャッターキー９の全押し直前にＣＣＤ撮像系ブロック３０、カラープロセス回路４０を得て生成された画像データをワークメモリ６０に取り込むと共に画像表示部７０に送って静止画表示し（ステップＵ５）、静止画撮影処理が完了するとステップＵ７に進む（ステップＵ６）。
【００５８】
次に、ワークメモリ６０に記憶している１フレーム分の画像データ（静止画像データ）をＪＰＥＧ／ＭＰＥＧ部４５で圧縮処理し、圧縮された静止画像データを画像記録部８０のＳＤカードに記録して図６のステップＳ５（又は図１０のステップＶ５）に戻る（ステップＵ７）。
【００５９】
これにより、ユーザが静止画撮影時に画角や撮影アングルを変えても、動画撮影復帰時に元の画角や撮影アングルに戻るので、違和感のない動画を得ることができる。つまり、完全なアングルの保持及び復帰ができるので、動画撮影を再開する際に静止画撮影時に変えられた動画像の画角やフレーミングを一致させることができる。
【００６０】
＜変形例＞  
本実施形態１では、動画撮影モードから静止画撮影モードに切り替えられたとき切り替え直前の画角情報を保持し、静止画撮影モードから動画撮影モードに復帰する際にズームレンズ制御により前回の静止画撮影開始前の動画撮影時の画角に復帰するようにすることにより、ユーザが静止画撮影時に画角を変えても動画撮影復帰時に元の画角に戻るようにしたが、画角以外のパラメータを組み合わせるように構成してもよい。
【００６１】
例えば、自動的にパンニング可能な装置（例えば、姿勢制御可能な雲台装置（図示せず））と組み合わせて、動画撮影時の撮影方位（この場合は上下左右の角度）を取得し、動画撮影モードから静止画撮影モードに切り替えられたとき画角だけでなく切り替え直前の方位も保持しておき、静止画撮影モードから動画撮影モードに復帰する際にズームレンズ制御により前回の静止画撮影開始前の動画撮影時の画角に復帰させると共に保持した方位を用いてパンニング可能な装置を制御し元の動画撮影アングルを再現させたあと、動画撮影を再開・継続するように構成してもよい。  
これにより、ユーザが静止画撮影時に画角や撮影アングルを変えても、動画撮影復帰時に元の画角や撮影アングルに戻るので、違和感のない動画を得ることができる。つまり、完全なアングルの保持及び復帰ができるので、動画撮影を再開する際に静止画撮影時に変えられた動画像の画角やフレーミングを略一致させることができる。
【００６２】
また、撮影アングルだけでなく、他の様々なパラメータ（例えば、色処理パラメータ、輪郭処理パラメータ、画素サイズ（解像度）等の圧縮パラメータ、画像サイズ等）を動画撮影時と静止画撮影時で設定し直すように構成することもできる。
【００６３】
（実施形態２）  
上記実施形態１ではズーム位置を復帰させることにより画角を一定のまま動画撮影を継続し、更に、その変形例ではパンニング装置を付加することで完全な動画撮影アングルの再開・継続を可能としたが、本実施形態ではパンニング装置を用いることなく正確な撮影アングルによりフレーミングを一致させて動画撮影の再開・継続を行う例について述べる。  
本実施形態では、静止画撮影のために動画撮影が一時停止されるときに、その直前の撮影画像（動画像）を記憶しておき、静止画撮影終了後に自動的の元の画角に戻した後、記憶された画像を半透明状態で動画撮影時に表示されるスルー画像に重畳表示してフレーミングの補助を行うようにする。
【００６４】
図９は本実施形態における撮影モードにおけるワークメモリの領域使用状態の説明図であり、図９（ａ）は撮影待機中のワークエリア６０の状態、図９（ｂ）は動画撮影中のワークエリア６０の状態、図９（ｃ）は動画／静止画切り替え中のワークエリア６０の状態、図９（ｄ）は静止画撮影中のワークエリア６０の状態を示す。
【００６５】
撮影待機中はワークエリア６０には、図９（ａ）に示すように、音声用バッファ６１及びスルー表示用バッファ６２が確保され、音声用バッファ６１には撮影待機中に取り込まれる音声データが記憶され、スルー表示用バッファ６２には撮影待機中に取り込まれる被写体画像データが記憶される。
【００６６】
動画撮影中にワークエリア６０には、図９（ｂ）に示すように、更に、動画用バッファ６３が確保され、音声用バッファ６１には動画撮影中に取り込まれる音声データが記憶され、スルー表示用バッファ６２には動画撮影中に取り込まれる被写体画像データが記憶され、動画用バッファ６３には動画撮影により取り込まれる動画像データが記憶される。
【００６７】
また、動画／静止画切り替え中には、図９（ｃ）に示すように、音声用バッファ６１、スルー表示用バッファ６２のほか、スルー画像退避エリア６６が確保され、音声用バッファ６１には動画／静止画切り替え中に取り込まれる音声データが記憶され、スルー表示用バッファ６２には動画／静止画切り替え中に取り込まれる被写体画像データが記憶され、スルー画像退避エリア６６には最終スルー画像フレーム（モード切り替えボタン８の操作直前のスルー画像フレーム（半透明用画像））が記録される。
【００６８】
静止画撮影中にはワークエリア６０には、図９（ｄ）に示すように、音声用バッファ６１及びスルー表示用バッファ６２のほか、静止画用バッファ６３及びスルー画像退避エリア６６が確保され、音声用バッファ６１には静止画撮影中に取り込まれる音声データが記憶され、スルー表示用バッファ６２には静止画撮影中に取り込まれる画像データが記憶され、静止画用バッファ６４には静止画撮影により取り込まれる静止画像データが記憶され、スルー画像退避エリア６６には最終スルー画像フレームが記憶されている。  
なお、一連のどの動作においてもスルー表示は続いているので、スルー表示用バッファ６２は常に使用されている。
【００６９】
図１０は、実施形態２における動画撮影モードと静止画撮影モードの切り替え動作を示すフローチャートである。以下に示す処理は基本的に制御部５０が予めフラッシュメモリ等のプログ格納メモリに固定記憶したプログラムに従って実行するものである。  
また、本実施形態ではシャッターキー９が２段階のストローク操作で動作し、基本的な動作として、動画撮影モードでは、第１段階のストローク操作、つまり、シャッターキー９の「半押し」状態で動画撮影を開始し、その後の第２段階のストローク操作、つまり、シャッターキー９の「全押し」状態で動画撮影を終了するものとする。  
また、静止画撮影モードではシャッターキー９の「半押し」状態でＡＦ動作を実行して合焦状態と露出状態をロックし、その後の第２段階のストローク操作、つまり、シャッターキー９の「全押し」状態でロックした合焦状態及び露出状態による撮影を行うものとする。
【００７０】
図１０で、動画撮影モードが選択されると、音声系ブロック３５を介して録音が開始されると共に、ＣＣＤ撮像系ブロック３０、カラープロセス回路４０を介して動画データが取り込まれて画像表示部７０にスルー画像表示され、シャッターキー９の半押し操作により動画撮影が開始され被写体画像の動画データ及び録音データが画像記録部８０に記録される（ステップＶ０）。
【００７１】
制御部５０は上記ステップＶ０の動画撮影中にキー情報（つまりキーブロック９０からの状態信号）を取得すると（ステップＶ１）、そのキー情報を調べ、キー情報がズームキーの操作状態を示す場合はステップＶ３に進み、モード切り替えボタン８の押し下げを意味する場合はステップＶ４に進み、シャッターキー９の全押しを意味する場合はステップＶ１８に進む（ステップＶ２）。
【００７２】
ズームキーが操作されると、制御部５０はズームレンズ制御を行う。つまり、ズーム位置検出センサ１２からのズームレンズの位置情報とズームキーの操作に対応したズームレンズ移動情報からズームレンズ制御信号を生成してレンズコントロールブロック５５を介してズームモータドライバ２１に送り、ズームモータ１４を駆動させてズームレンズをワイド側又は望遠側に移動させ、ステップＶ１に戻る（ステップＶ３）。
【００７３】
モード切り替えボタン８が押されると、制御部５０は、動画撮影（つまり、動画記録部８０へ動画データ及び録音データの記録）を停止し、その直前にズーム位置検出センサ１２から取得したズーム位置情報とスルー画像表示されていた動画データ（半透過用画像）をＲＡＭに保持（一時記憶）してステップＶ５に進む（ステップＶ４）。
【００７４】
制御部５０はモード切り替えボタン８の操作後、更にキー情報の取得を待ち、キー情報を取得すると（ステップＶ５）、そのキー情報を調べ、キー情報がズームキーの操作状態を示す場合はステップＶ７に進み、モード切り替えボタン８の押し下げを意味する場合はステップＶ８に進み、シャッターキー９の半押しを意味する場合はステップＶ１７に進む（ステップＶ６）。
【００７５】
ズームキーが操作されると、制御部５０は上記ステップＶ３と同様のズームレンズ制御を行ない、ズームモータ１４を駆動してズームレンズをワイド側又は望遠側に移動させ、ステップＶ５に戻る（ステップＶ７）。
【００７６】
モード切り替えボタン８が押された場合は、上記ステップＶ４でＲＡＭに保持したズーム位置情報を取り出し、そのズーム位置情報を基にズームレンズ制御信号を生成してレンズコントロールブロック５５を介してズームモータドライバ２１に送り、ズームモータ１４を駆動させてズームレンズをワイド側又は望遠側に移動させて、ズームレンズの位置を上記ステップＶ４での動画撮影停止直前の位置に復帰させ（ステップＶ８）、上記ステップＶ４でＲＡＭに保持した画像データから更に画素を間引いた半透過画像７２，７４を生成し、画像表示部７０に送って（図７のステップＴ１で表示される動画スルー画像７１、７３と重畳させて）表示させる（図１１参照）（ステップＶ９）。
【００７７】
更に、上記ステップＶ４で保持した画像データとＣＣＤ撮像系３０から新たに取り込んだ画像データから左右及び上下の角度の差分を演算して撮影アングルの相関度を得て相関度表示データ７５を生成し、画像表示部７０に送って（図１１の例に示すように図７のステップＴ１で表示される動画スルー画像７１，７３及び上記半透過画像７２，７４と重畳させて）表示させる（ステップＶ１０）。
【００７８】
制御部５０は更にキー情報の取得を待ち、キー情報を取得すると（ステップＶ１１）、そのキー情報を調べ、キー情報がズームキーの操作状態を示す場合はステップＶ１３に進み、モード切り替えボタン８の押し下げを意味する場合はステップＶ１４に進み、シャッターキー９の半押しを意味する場合はステップＶ１５に進む（ステップＶ１２）。
【００７９】
ズームキーが操作されると、制御部５０は上記ステップＶ３と同様のズームレンズ制御を行ない、ズームモータ１４を駆動してズームレンズをワイド側又は望遠側に移動させ、ステップＶ９に戻る（ステップＶ１３）。
【００８０】
モード切り替えボタン８が押された場合は、上位ステップＶ９及びＶ１０で生成した半透過画像及び相関度データの画像表示部７０への送出を停止し、モニタ画面上での半透過画像及び相関度データの表示を消去してステップＶ９に戻る（ステップＶ１４）。
【００８１】
シャッターキー９の半押しがあると、上位ステップＶ９及びＶ１０で生成した半透過画像及び相関度データの画像表示部７０への送出を停止し、モニタ画面上での半透過画像及び相関度データの表示を消去し（ステップＶ１５）、動画撮影を再開させ（図７のステップＴ１〜Ｔ４参照）、動画撮影が終了した場合はステップＶ１に戻る（ステップＶ１６）。
【００８２】
また、シャッターキー９の半押しがあると、静止画撮影処理等（図８のステップＵ１〜ステップＵ７参照）を開始させステップＶ５に戻る（ステップＶ１７）。
【００８３】
上記ステップＶ０の動画撮影中にシャッターキー９が全押しされると動画撮影を終了し、図４の例に示したように動画撮影モードで記録した動画データ及び録音データを併せて動画ファイルとして画像記録部８０に記録し直す（ステップＶ１８）。
【００８４】
上記図１０のフローチャートに示す動作により、静止画撮影のために動画撮影が一時停止するときにその直前の画角情報（ズーム位置情報）と共にスルー画像データを記憶しておき、静止画像撮影が終了すると記憶していた画角情報を取り出して画角を再現すると共に記憶したスルー画像データを基に半透過画像を生成し、動画撮影再開後にスルー表示の際にその半透過画像を重畳表示するので、動画撮影停止直前のフレームと略同じ撮影アングルになるようにデジタルカメラ１００を動かして確認し、動画撮影停止直前のフレームと略同じ撮影アングルで動画撮影を開始できる。つまり、スルー画像に半透過画像を重畳表示することにより撮影アングルを動画撮影停止直前の撮影アングルに合わせやすいのでより正確なアングル設定が可能となり、スムースな動画継続が可能となる。  
また、前回の動画撮影時の画像データと動画撮影再開後あらたに取り込まれた画像データとの撮影アングルの相関度データを求め、動画撮影再開後のスルー表示の際に相関度を重畳表示するので、前回の動画撮影のアングルと現在の撮影画像との相関を図１１に示すように数値や図形で確認できることから、動画撮影再開時に、更に正確な撮影アングルの設定が可能になる。
【００８５】
なお、上記ステップＶ４で半透過画像用（及び相関度算出用）に保存する画像はスルー画像でなく、撮像系３０及びカラープロセス回路４０を介してワークメモリ６０に取り込まれた画像データでもよい。
【００８６】
図１１は再開された動画撮影時のスルー画像に重畳表示される半透過画像及び相関度の一実施例を示す図であり、符号７１、７３の実線の像は動画撮影再開後に取り込まれる動画像のスルー画像を示し、符号７２、７４の破線の像は前回のモード切り替え操作による動画撮影の停止直前に表示されていた動画のスルー画像（１フレーム分）の半透過画像を示す。また、符号７５は動画撮影再開後に取り込まれる動画像のスルー画像と前回の動画像の半透過画像の相関度を表す図形である。  
なお、図１１の例では動画像７１、７３、半透過画像７２、７４は踊っている二人の人物を示し、相関度を示す図形７５は斜線が相関の割合を図示している。また、パーセント表示されている数字「８０％」は相関度である。相関度表示はグラフ等の図形でもよく、単に数値を表示するだけでもよく、図示の例のように図形と数値を併せて表示しするようにしてもよい。
【００８７】
また、上記実施形態１及び実施形態２では、動画撮影モードにおいて、シャッターキー９の「半押し」で動画撮影を開始し、シャッターキー９の「全押し」状態で動画撮影を終了するものとしたが、デジタルカメラ１００に動画撮影開始／終了ボタンを設け、動画撮影モードで動画撮影開始／終了ボタンが押されると動画撮影を開始し、再度動画撮影開始／終了ボタンが押されると動画撮影を終了するようにしてもよい。
【００８８】
また、上記実施形態１及び実施形態２ではデジタルカメラ１００にモード切り替えのために専用のボタン（モード切り替えボタン８）を設けたが、専用のボタンを設けず他のキーと兼用するようにしてもよいし。また、赤外線リモコン等の遠隔撮影指示手段を用いてモードを切り替えるようにしてもよい。
【００８９】
また、上記実施形態１及び実施形態２では静止画撮影から動画撮影へ復帰する際にモード切り替え操作を行うようにしたがこれに限定されない。例えば、静止画撮影枚数を予め設定可能に構成しておき、設定された数の静止画を撮影したら動画撮影に復帰するようにしてもよい。
【００９０】
また、上記各説明ではデジタルカメラを例としたが、本発明はカメラ付き携帯電話機にも適用可能である。ただし、シャッター操作が１ストロークのカメラ付き携帯電話機を用いる場合は図６〜図８、図１０における「シャッターキー９の半押し」動作及び「シャッターキーの全押し」動作を「シャッターキーの押し下げ」動作と読み替えるものとする。
【００９１】
以上、本発明のいくつかの実施例について説明したが本発明は上記各実施例に限定されるものではなく、種々の変形実施が可能であることはいうまでもない。例えば撮像装置という用語は、デジタルカメラやカメラ付き携帯電話機のほか、撮像部を有する情報機器などにも適用し得るものである。
【図面の簡単な説明】
【００９２】
【図１】デジタルカメラの外観構成の一例を示す図である。
【図２】デジタルカメラの回路構成の一実施例を示すブロック図である。
【図３】録音と録音の並行動作による音声データと画像データの遷移の説明図である。
【図４】画像記録部に記録される動画ファイル及び静止画ファイルの模式図である。
【図５】実施形態１におけるワークメモリの領域使用状態の説明図である。
【図６】実施形態１における動画撮影モードと静止画撮影モードの切り替え動作を示すフローチャートである。
【図７】図６及びズ１０における動画撮影処理動作を示すフローチャートである。
【図８】図６及びズ１０における静止画撮影動作を示すフローチャートである。
【図９】実施形態２におけるワークメモリの領域使用状態の説明図である。
【図１０】実施形態２における動画撮影モードと静止画撮影モードの切り替え動作を示すフローチャートである。
【図１１】再開された動画撮影時のスルー画像に重畳表示される半透過画像及び相関度の一実施例を示す図である。
【符号の説明】
【００９３】
８  モード切り替えボタン（モード切り替え手段）
１２  ズーム位置検出センサ（画角復帰手段）
１４  ズームモータ（画角復帰手段）
２１  ズームモータドライバ（画角復帰手段）
５０  制御部（モード切り替え手段、画角復帰手段、）
５５  レンズコントロールブロック（画角復帰手段）
７０  画像表示部（表示部）
７２、７４  半透過画像
７５  相関度情報
８０  画像記録部（記録メモリ）
１００  デジタルカメラ（撮像装置）